(57)【要約】【課題】配電用自動電圧調整器（自動電圧調整器）で電力が逆潮流している原因が系統切換にあるのか、二次側に分散電源が連系したことにあるのかを判定する方法を提供する。【解決手段】電力の逆潮流時に、自動電圧調整器のタップが切換えられる前の第１の計測タイミング、タップ切換直後の第２の計測タイミング及び第２の計測タイミングよりも僅かに遅れた第３の計測タイミングでそれぞれ自動電圧調整器の一次電圧及び二次電圧を計測して、第２の計測タイミング及び第３の計測タイミングで計測した一次電圧同士及び二次電圧同士の比較の結果から電圧調整直後の系統の負荷状態を判定し、判定された負荷状態と、第１の計測タイミング及び第３の計測タイミングで計測した一次電圧同士及び二次電圧同士の比較の結果と、電圧調整動作がタップ上げであるかタップ下げであるかの判定結果とを予め用意した判定要件と照合することにより、逆潮流の原因を判定する。【選択図】    図２
2014023303.tif 000002
【特許請求の範囲】
【請求項１】
配電系統に設置された負荷時タップ切換式の自動電圧調整器で二次側から一次側に電力が潮流する電力の逆潮流が生じたときに、該電力の逆潮流の原因を判定する配電用自動電圧調整器の電力逆潮流原因判定方法において、
前記自動電圧調整器で電力の逆潮流が検出された状態で前記自動電圧調整器が電圧調整を行う際に、前記自動電圧調整器のタップが切り換わるタイミングよりも前のタイミングに設定された第１の計測タイミングｔａ、前記タップが切り換った直後のタイミングに設定された第２の計測タイミングｔb及び該第２の計測タイミングよりも僅かに遅れたタイミングに設定された第３の計測タイミングｔcでそれぞれ前記自動電圧調整器の一次側電圧を第１の一次電圧、第２の一次電圧及び第３の一次電圧として計測するとともに、前記自動電圧調整器の二次側電圧を第１の二次電圧、第２の二次電圧及び第３の二次電圧として計測し、
前記第２の一次電圧と第３の一次電圧との比較及び（又は）第２の二次電圧と第３の二次電圧の比較を行って、その比較の結果から、自動電圧調整器が電圧調整動作を行った直後の系統の負荷状態が、負荷変動が無い状態、系統の負荷が軽くなる軽負荷変動が生じている状態、及び系統の負荷が重くなる重負荷変動が生じている状態のうちの何れであったかを判定する負荷状態判定過程と、
前記自動電圧調整器が行う電圧調整動作が、前記自動電圧調整器の一次側に電源変電所が接続されていて自動電圧調整器を通して順方向に電力が潮流しているとした場合に前記自動電圧調整器の二次側電圧を昇圧させることになる方向にタップを切り換えるタップ上げであるのか、該タップ上げ時と逆方向にタップを切り換えるタップ下げであるのかを判定する電圧調整動作判定過程と、
前記第１の一次電圧と第３の一次電圧との比較及び（又は）前記第１の二次電圧と第３の二次電圧との比較を行って、比較した電圧の高低の関係を判定するタップ切換時電圧変化判定過程と、
前記負荷状態判定過程での判定結果と電圧調整動作判定過程での判定結果とタップ切換時電圧変化判定過程での判定結果とを、これらの判定結果に対して予め用意した判定要件と照合することにより、前記逆潮流が生じている原因が、前記自動電圧調整器の一次側の配電線が電源変電所に接続されている状態で前記自動電圧調整器の二次側の配電線に分散電源が連係したことにあるのか、系統の切換により前記自動電圧調整器の一次側の配電線が電源変電所から切り離されて、二次側の配電線が他の系統の電源変電所に接続されたことにあるのかを判定する逆潮流原因判定過程と、
を行うことを特徴とする配電用自動電圧調整器の電力逆潮流原因判定方法。
【請求項２】
前記逆潮流原因判定過程は、
（ａ）自動電圧調整器が電圧調整動作を行った直後に系統に負荷変動がなかったと判定され、かつ前記電圧調整動作がタップ上げであると判定された状態で、第３の一次電圧が第１の一次電圧に等しく、第３の二次電圧が第１の二次電圧に等しいと判定されたとき、（ｂ）自動電圧調整器が電圧調整動作を行った直後に系統に負荷変動がなかったと判定され、かつ電圧調整動作がタップ下げであると判定された状態で、第３の一次電圧が第１の一次電圧に等しく、第３の二次電圧が第１の二次電圧よりも低いと判定されたとき、（ｃ）自動電圧調整器が電圧調整動作を行った直後に系統に前記軽負荷変動が生じていたと判定され、かつ前記電圧調整動作がタップ上げであると判定された状態で、第３の一次電圧が第１の一次電圧よりも高く、第３の二次電圧が第１の二次電圧よりも高いと判定されたとき、（ｄ）自動電圧調整器が電圧調整動作を行った直後に系統に前記軽負荷変動が生じていたと判定され、かつ前記電圧調整動作がタップ下げであると判定された状態で、第３の一次電圧が第１の一次電圧よりも高く、第３の二次電圧が第１の二次電圧よりも低いと判定されたとき、（ｅ）自動電圧調整器が電圧調整動作を行った直後に系統に前記重負荷変動が生じていたと判定され、かつ前記電圧調整動作がタップ上げであると判定された状態で、第３の一次電圧が第１の一次電圧よりも低く、第３の二次電圧が第１の二次電圧よりも高いと判定されたとき、及び（ｆ）自動電圧調整器が電圧調整動作を行った直後に系統に前記重負荷変動が生じていたと判定され、かつ前記電圧調整動作がタップ下げであると判定された状態で、第３の一次電圧が第１の一次電圧よりも低く、第３の二次電圧が第１の二次電圧よりも低いと判定されたときに、前記逆潮流が生じている原因が、前記自動電圧調整器の一次側の配電線が電源変電所に接続されている状態で前記自動電圧調整器の二次側の配電線に分散電源が連係したことにあると判定し、
（ｇ）自動電圧調整器が電圧調整動作を行った直後に系統に負荷変動がなかったと判定され、かつ前記電圧調整動作がタップ上げであると判定された状態で、第３の一次電圧が第１の一次電圧よりも低く、第３の二次電圧が第１の二次電圧に等しいと判定されたとき、（ｈ）自動電圧調整器が電圧調整動作を行った直後に系統に負荷変動がなかったと判定され、かつ電圧調整動作がタップ下げであると判定された状態で、第３の一次電圧が第１の一次電圧よりも高く、第３の二次電圧が第１の二次電圧に等しいと判定されたとき、（ｉ）自動電圧調整器が電圧調整動作を行った直後に系統に前記軽負荷変動が生じていたと判定され、かつ前記電圧調整動作がタップ上げであると判定された状態で、第３の一次電圧が第１の一次電圧よりも低く、第３の二次電圧が第１の二次電圧よりも高いと判定されたとき、（ｊ）自動電圧調整器が電圧調整動作を行った直後に系統に前記軽負荷変動が生じていたと判定され、かつ前記電圧調整動作がタップ下げであると判定された状態で、第３の一次電圧が第１の一次電圧よりも高く、第３の二次電圧が第１の二次電圧よりも高いと判定されたとき、（ｋ）自動電圧調整器が電圧調整動作を行った直後に系統に前記重負荷変動が生じていたと判定され、かつ前記電圧調整動作がタップ上げであると判定された状態で、第３の一次電圧が第１の一次電圧よりも低く、第３の二次電圧が第１の二次電圧よりも低いと判定されたとき、及び（ｌ）自動電圧調整器が電圧調整動作を行った直後に系統に前記重負荷変動が生じていたと判定され、かつ前記電圧調整動作がタップ下げであると判定された状態で、第３の一次電圧が第１の一次電圧よりも高く、第３の二次電圧が第１の二次電圧よりも低いと判定されたときに、前記逆潮流が生じている原因が、系統の切換により前記自動電圧調整器の一次側の配電線が電源変電所から切り離されて、二次側の配電線が他の系統の電源変電所に接続されたことにあると判定すること、
を特徴とする請求項１に記載の配電用自動電圧調整器の電力逆潮流原因判定方法。
【請求項３】
配電系統に設置された負荷時タップ切換式の自動電圧調整器で二次側から一次側に電力の逆潮流が生じたときに、該電力の逆潮流の原因を判定する配電用自動電圧調整器の電力逆潮流原因判定装置において、
前記自動電圧調整器で電力の逆潮流が検出された状態で前記自動電圧調整器が電圧調整を行う際に、前記自動電圧調整器のタップが切り換わるタイミングよりも前のタイミングに設定された第１の計測タイミングｔａ、前記タップが切り換った直後のタイミングに設定された第２の計測タイミングｔb及び該第２の計測タイミングよりも僅かに遅れたタイミングに設定された第３の計測タイミングｔcでそれぞれ前記自動電圧調整器の一次側電圧を第１の一次電圧、第２の一次電圧及び第３の一次電圧として計測するとともに、前記自動電圧調整器の二次側電圧を第１の二次電圧、第２の二次電圧及び第３の二次電圧として計測する電圧計測手段と、
前記第２の一次電圧と第３の一次電圧との比較及び（又は）第２の二次電圧と第３の二次電圧の比較を行って、その比較の結果から、自動電圧調整器が電圧調整動作を行った直後の系統の負荷状態が、負荷変動が無い状態、系統の負荷が軽くなる方向への変動である軽負荷変動が生じている状態、及び系統の負荷が重くなる方向への変動である重負荷変動が生じている状態のうちの何れの状態にあるのかを判定する負荷状態判定手段と、
前記自動電圧調整器が行う電圧調整動作が、前記自動電圧調整器の一次側に電源変電所が接続されている状態で前記自動電圧調整器の二次側電圧を昇圧させる方向にタップを切り換えるタップ上げであるのか、該タップ上げ時と逆方向にタップを切り換えるタップ下げであるのかを判定する電圧調整動作判定手段と、
前記第１の一次電圧と第３の一次電圧との比較及び（又は）前記第１の二次電圧と第３の二次電圧との比較を行って、比較した電圧の高低の関係を判定するタップ切換時電圧変化判定手段と、
前記負荷状態判定手段による判定結果と、電圧調整動作判定手段による判定結果と、タップ切換時電圧変化判定手段による判定結果とを、これらの判定結果に対して予め用意した判定要件と照合することにより、前記逆潮流が生じている原因が、前記自動電圧調整器の一次側の配電線が電源変電所に接続されている状態で前記自動電圧調整器の二次側の配電線に分散電源が連係したことにあるのか、系統の切換により前記自動電圧調整器の一次側の配電線が電源変電所から切り離されて、二次側の配電線が他の系統の電源変電所に接続されたことにあるのかを判定する逆潮流原因判定手段と、
を具備したことを特徴とする配電用自動電圧調整器の電力逆潮流原因判定装置。
【請求項４】
前記逆潮流原因判定手段は、
（ａ）自動電圧調整器が電圧調整動作を行った直後に系統に負荷変動がなかったと判定され、かつ前記電圧調整動作がタップ上げであると判定された状態で、第３の一次電圧が第１の一次電圧に等しく、第３の二次電圧が第１の二次電圧に等しいと判定されたとき、（ｂ）自動電圧調整器が電圧調整動作を行った直後に系統に負荷変動がなかったと判定され、かつ電圧調整動作がタップ下げであると判定された状態で、第３の一次電圧が第１の一次電圧に等しく、第３の二次電圧が第１の二次電圧よりも低いと判定されたとき、（ｃ）自動電圧調整器が電圧調整動作を行った直後に系統に前記軽負荷変動が生じていたと判定され、かつ前記電圧調整動作がタップ上げであると判定された状態で、第３の一次電圧が第１の一次電圧よりも高く、第３の二次電圧が第１の二次電圧よりも高いと判定されたとき、（ｄ）自動電圧調整器が電圧調整動作を行った直後に系統に前記軽負荷変動が生じていたと判定され、かつ前記電圧調整動作がタップ下げであると判定された状態で、第３の一次電圧が第１の一次電圧よりも高く、第３の二次電圧が第１の二次電圧よりも低いと判定されたとき、（ｅ）自動電圧調整器が電圧調整動作を行った直後に系統に前記重負荷変動が生じていたと判定され、かつ前記電圧調整動作がタップ上げであると判定された状態で、第３の一次電圧が第１の一次電圧よりも低く、第３の二次電圧が第１の二次電圧よりも高いと判定されたとき、及び（ｆ）自動電圧調整器が電圧調整動作を行った直後に系統に前記重負荷変動が生じていたと判定され、かつ前記電圧調整動作がタップ下げであると判定された状態で、第３の一次電圧が第１の一次電圧よりも低く、第３の二次電圧が第１の二次電圧よりも低いと判定されたときに、前記逆潮流が生じている原因が、前記自動電圧調整器の一次側の配電線が電源変電所に接続されている状態で前記自動電圧調整器の二次側の配電線に分散電源が連係したことにあると判定し、
（ｇ）自動電圧調整器が電圧調整動作を行った直後に系統に負荷変動がなかったと判定され、かつ前記電圧調整動作がタップ上げであると判定された状態で、第３の一次電圧が第１の一次電圧よりも低く、第３の二次電圧が第１の二次電圧に等しいと判定されたとき、（ｈ）自動電圧調整器が電圧調整動作を行った直後に系統に負荷変動がなかったと判定され、かつ電圧調整動作がタップ下げであると判定された状態で、第３の一次電圧が第１の一次電圧よりも高く、第３の二次電圧が第１の二次電圧に等しいと判定されたとき、（ｉ）自動電圧調整器が電圧調整動作を行った直後に系統に前記軽負荷変動が生じていたと判定され、かつ前記電圧調整動作がタップ上げであると判定された状態で、第３の一次電圧が第１の一次電圧よりも低く、第３の二次電圧が第１の二次電圧よりも高いと判定されたとき、（ｊ）自動電圧調整器が電圧調整動作を行った直後に系統に前記軽負荷変動が生じていたと判定され、かつ前記電圧調整動作がタップ下げであると判定された状態で、第３の一次電圧が第１の一次電圧よりも高く、第３の二次電圧が第１の二次電圧よりも高いと判定されたとき、（ｋ）自動電圧調整器が電圧調整動作を行った直後に系統に前記重負荷変動が生じていたと判定され、かつ前記電圧調整動作がタップ上げであると判定された状態で、第３の一次電圧が第１の一次電圧よりも低く、第３の二次電圧が第１の二次電圧よりも低いと判定されたとき、及び（ｌ）自動電圧調整器が電圧調整動作を行った直後に系統に前記重負荷変動が生じていたと判定され、かつ前記電圧調整動作がタップ下げであると判定された状態で、第３の一次電圧が第１の一次電圧よりも高く、第３の二次電圧が第１の二次電圧よりも低いと判定されたときに、前記逆潮流が生じている原因が、系統の切換により前記自動電圧調整器の一次側の配電線が電源変電所から切り離されて、二次側の配電線が他の系統の電源変電所に接続されたことにあると判定するように構成されていること、
を特徴とする請求項３に記載の配電用自動電圧調整器の電力逆潮流原因判定装置。
【発明の詳細な説明】
【技術分野】
【０００１】
本発明は、配電系統に設置された自動電圧調整器で電力の逆潮流が生じたときに、その逆潮流が系統の切換により起因するものであるのか、又は自動電圧調整器の二次側で系統に分散電源が連系していることに起因するものであるのかを判定する配電用自動電圧調整器の電力逆潮流原因判定方法及び装置に関するものである。
【背景技術】
【０００２】
配電系統においては、電力の需給バランスを図ったり、工事の際の停電を防いだりするために、複数の系統を連系させることが行われている。また近年、太陽光発電設備や風力発電設備などの発電設備が自家発電設備として設置されるようになったことに伴い、多くの自家発電設備が分散電源として配電系統と連系するようになっている。
【０００３】
配電系統においては、系統の各部の電圧を設定された範囲に保つために、系統に適宜の間隔で配電用自動電圧調整器（以下ＳＶＲともいう。）を設置して、系統の各部の電圧を設定範囲に保つように調整している。ＳＶＲは、例えば一次側にタップを有して一次側及び二次側がそれぞれ一次側（電源側）及び二次側の配電線に接続される調整変圧器と、調整変圧器のタップを切り換えるタップ切換装置とを備えていて、系統の電圧に応じて調整変圧器のタップを切り換えることにより、系統電圧（配電線電圧）を設定範囲に保つ電圧調整動作を行う。
【０００４】
なお本明細書では、ＳＶＲの一次側の配電線が電源変電所に接続され、ＳＶＲの二次側の配電線が他の系統の電源変電所から切り離されていて、電力の潮流状態が順潮流状態にあるとした場合に、調整変圧器の二次側の電圧を昇圧させることになる方向にタップを切り換える電圧調整動作（タップ切換動作）を「タップ上げ」と呼び、該タップ上げ時と逆方向にタップを切り換える電圧調整動作を「タップ下げ」という。
【０００５】
ＳＶＲの一次側に接続された配電線が電源変電所に接続され、ＳＶＲの二次側に接続された配電線が他の系統の電源変電所から切り離されていて、ＳＶＲにおける電力の潮流が順潮流状態であるときには、系統電圧が設定された範囲より低下したときにタップ上げを行い、設定された範囲を超えたときにタップ下げを行うことにより、配電系統の各部の電圧を設定範囲に維持することができる。ところが、配電系統においては、常に各ＳＶＲにおける電力の潮流が順潮流状態であるとは限らず、系統の状態によっては、ＳＶＲにおける電力の潮流が、逆潮流状態（二次側から一次側に電力が逆送される状態）になることがある。
【０００６】
例えば複数の系統を連系させる配電系統においては、ＳＶＲの一次側及び二次側で系統の切換が行われて、ＳＶＲの一次側の配電線が電源変電所から切り離され、二次側の配電線が他の系統の電源変電所に接続されたときに、ＳＶＲにおける電力の潮流が逆潮流状態になる。また複数の系統が連系していることに加えて、多数の分散電源が連係することがある配電系統においては、ＳＶＲの一次側の配電線が電源変電所に接続されている状態でも、二次側に多くの分散電源が連係したときに、ＳＶＲにおける電力の潮流が逆潮流状態になることがある。ＳＶＲで電力の逆潮流が生じると、正しい電圧調整を行うことができなくなって系統の各部の電圧が異常になるため、なんらかの対策を講じる必要がある。
【０００７】
複数の系統を連係させる配電系統に用いるＳＶＲにおいては、その一次側の配電線が電源変電所から切り離されて、二次側の配電線が他の系統の電源変電所に接続される系統切換が行われた際に、電力の逆潮流が生じる。この場合、ＳＶＲが二次側の系統電圧を設定範囲に保つべく、タップ上げを行うと、一次側の系統電圧が設定範囲の下限値未満に低下してしまい、ＳＶＲの一次側の配電系統の電圧が異常に低下してしまう。このような異常状態が生じるのを防ぐため、複数の系統を連係させる配電系統に用いるＳＶＲは、電力の逆潮流が生じる系統の切換が行われる際に、変電所などに設置された指令所からの指令により、調整変圧器のタップを予め定めたタップに固定する動作を行うように構成されている。このような動作を行うＳＶＲを、「逆送時タップ固定型ＳＶＲ」と呼ぶことにする。また系統切換時に調整変圧器のタップを固定する動作を行わないＳＶＲを「一般型のＳＶＲ」と呼ぶことにする。逆送時タップ固定型ＳＶＲにおいては、系統切換え時に選択する固定タップとして、最初素通しタップが選択され、その後、電力の逆潮流時に一次側の系統電圧を昇圧させることになるタップが選択される。
【０００８】
複数の系統が連係している配電系統において、系統切換時のみにＳＶＲで電力の逆潮流が生じる場合には、上記のような逆送時タップ固定型ＳＶＲを用いることにより、ＳＶＲで電力の逆潮流が生じた時に系統電圧が異常になるのを防ぐことができる。しかしながら、系統に分散電源が連係していることに起因してＳＶＲで電力の逆潮流が生じる場合には、逆送時タップ固定型ＳＶＲを用いても適正な電圧調整を行うことができないことがある。このことを示すために、図１０及び図１１を参照して、一般型ＳＶＲ及び逆送時タップ固定型ＳＶＲの種々の電力潮流状態における動作を説明する。
【０００９】
図１０（Ａ）ないし（Ｃ）はそれぞれ、一般型ＳＶＲが設置された配電系統において、ＳＶＲの一次側に電源変電所が接続されていて、ＳＶＲでの電力の潮流が順方向潮流状態であるとき、系統の切換によりＳＶＲの二次側に他の系統の電源変電所が接続された状態になって、ＳＶＲで電力の逆潮流が生じているとき、及びＳＶＲの一次側に電源変電所が接続されているが、ＳＶＲの二次側で分散電源が連系したことによりＳＶＲで電力の逆潮流が生じているときの系統の状態を示す単線結線図を、ＳＶＲが調整動作を行ったときに生じる系統の電圧分布の変化を示すグラフとともに示した説明図である。
【００１０】
また図１１（Ａ）ないし（Ｃ）はそれぞれ、逆送時タップ固定型ＳＶＲが設置された配電系統において、ＳＶＲの一次側に電源変電所が接続されていて、ＳＶＲでの電力の潮流が順方向潮流状態であるとき、系統の切換によりＳＶＲの二次側に他の系統の電源変電所が接続された状態になって、ＳＶＲで電力の逆潮流が生じているとき、及びＳＶＲの一次側に電源変電所が接続されているが、ＳＶＲの二次側で分散電源が連系したことによりＳＶＲで電力の逆潮流が生じているときの系統の状態を示す単線結線図を、系統の電圧分布の変化を示すグラフとともに示した説明図である。
【００１１】
図１０（Ａ）ないし(Ｃ)及び図１１（Ａ）ないし(Ｃ)に示された単線結線図において、１は系統の電源である変電所（電源変電所）を示し、２は変電所１に開閉器３と配電線４とを通して接続されたＳＶＲを示している。また５はＳＶＲの二次側に一端が接続された配電線を示し、６は配電線５の他端に開閉器７を介して接続された他系統の配電線を示している。図１０(Ｃ)及び図１１(Ｃ)において、８はＳＶＲの二次側の配電線５に接続された分散電源を示している。図１０及び図１１に示されたグラフにおいて、max及びminはそれぞれ系統電圧の設定範囲の上限値及び下限値を示している。
【００１２】
図１０（Ａ）に示されているように、一般型ＳＶＲが設置された配電系統において、系統切換が行われておらず、ＳＶＲの一次側の配電線が電源変電所に接続されていて、ＳＶＲにおける電力の潮流が順潮流状態である場合には、図に破線で示したように系統電圧が設定範囲の下限値未満に下降しようとした時に、ＳＶＲにタップ上げを行わせることにより系統電圧を設定範囲に保つことができ、系統電圧が上昇して設定範囲の上限値を超えようとした時には、ＳＶＲにタップ下げを行わせることにより系統電圧を設定範囲に保つことができる。ＳＶＲの一次側の配電線が電源変電所に接続されていて、ＳＶＲでの電力の潮流が順潮流状態であるときには、図１１（Ａ）に示すように、逆送時タップ固定型ＳＶＲも一般型ＳＶＲと同様の動作を行う。
【００１３】
また一般型ＳＶＲが設置された配電系統において、図１０(Ｂ)に示されているように、系統切換により、ＳＶＲの二次側の配電線が他の系統の電源変電所に接続された状態になって、ＳＶＲにおける電力の潮流が逆潮流状態になった場合には、図に破線で示したように二次側の系統電圧が下降しようとした時にＳＶＲがその二次側電圧を上昇させるべくタップ上げを行うと、結果的に一次側電圧が押し下げられることになり、ＳＶＲの一次側の系統電圧が設定範囲の下限値未満に低下する異常状態が生じることがある。また系統電圧が設定範囲の上限値を超えて上昇しようとした時に、ＳＶＲがその二次側電圧を下降させるべくタップ下げを行うと、結果的に一次側電圧を押し上げることになり、ＳＶＲの一次側の系統電圧が設定範囲の上限値を超える異常状態が生じることがある。
【００１４】
これに対し、逆送時タップ固定型ＳＶＲが設置された配電系統においては、系統切換によりＳＶＲでの電力の潮流が逆潮流状態になったときに、ＳＶＲが有する潮流判定機能により、その一次側の系統電圧を上昇させるように予め指定したタップに調整変圧器のタップを固定する動作を行うため、図１１(Ｂ)に示されているように、ＳＶＲの二次側電圧が低下しようとしたときに一次側電圧を上昇させ、二次側電圧が上昇しようとしたときには一次側電圧を下降させて、系統電圧を設定範囲に保つことができる。
【００１５】
上記のように、系統切換によりＳＶＲで電力の逆潮流が生じた際に系統電圧を異常に低下させたり、上昇させたりしないようにするためには、ＳＶＲとして、逆送時タップ固定型ＳＶＲを用いればよいが、ＳＶＲの一次側に電源変電所が接続されている状態で、ＳＶＲの二次側で系統に分散電源が連係したことによりＳＶＲで電力の逆潮流が生じた場合には、以下に示すように、逆送時タップ固定型ＳＶＲを用いると、ＳＶＲの二次側の系統電圧が異常に低下する現象が生じることがある。
【００１６】
一般型ＳＶＲが設置された配電系統において、図１０（Ｃ）に示されているように、ＳＶＲの一次側の配電線が電源変電所に接続されている状態で、二次側で系統に分散電源が連系していることに起因してＳＶＲで電力の逆潮流状態が生じている場合に、図１０（Ｃ）に破線で示されているように、二次側の系統電圧が設定範囲の上限値を超えて上昇しようとしたときには、ＳＶＲがタップ下げを行って、系統電圧を設定範囲に保つ調整動作を行う。また二次側の系統電圧が設定範囲の下限値未満に下降しようとしたときには、ＳＶＲがタップ上げを行って、一次側の系統電圧を設定範囲に保つ調整動作を行う。従って、一般型ＳＶＲが設置された配電系統においては、ＳＶＲの一次側の配電線が電源変電所に接続され、二次側で分散電源が連系していることに起因してＳＶＲで電力の逆潮流が生じている状態でも、系統電圧を設定範囲に保つことができる。
【００１７】
これに対し、逆送時タップ固定型ＳＶＲが設置された配電系統において、図１１（Ｃ）に示すように、変電所１の開閉器３が閉じ、ＳＶＲの一次側の配電線が電源変電所１に接続されている状態で、ＳＶＲの二次側で系統に分散電源８が連系していることに起因してＳＶＲで電力の逆潮流が生じたときには、逆潮流時に一次電圧を上昇させるように予め指定したタップに調整変圧器のタップが固定されるが、電源変電所に接続されているＳＶＲの一次側電圧が大容量の系統電圧により固定されているため、結果的に、図１１（Ｃ）に示すように、二次側電圧が押し下げられて、二次側の系統電圧が設定範囲の下限値minを下回る異常状態が生じることがある。
【００１８】
上記のことから、系統切換によりＳＶＲで電力の逆潮流が生じた場合及び一次側の配電線が電源変電所に接続されている状態で二次側の系統に分散電源が連係したことによりＳＶＲで電力の逆潮流が生じた場合の何れの場合にも系統電圧を適正な範囲に維持するためには、系統切換によりＳＶＲで電力の逆潮流が生じたときにＳＶＲを逆送時タップ固定型ＳＶＲの動作モードで動作させ、分散電源が系統に連係したことによりＳＶＲで電力の逆潮流が生じたときには、ＳＶＲを一般型ＳＶＲの動作モードで動作させることが必要であることが分かる。
【００１９】
上記のようにＳＶＲの動作モードを切り換えるためには、ＳＶＲで電力の逆潮流が生じた際に、その逆潮流の原因が系統切換に起因するのか、一次側に電源があるＳＶＲの二次側で系統に分散電源が連係したことに起因するのかを判定する必要がある。
【００２０】
逆送時タップ固定型ＳＶＲが用いられる場合には、系統の切換が行われる際に変電所などに設けられた指令所から与えられる素通し制御指令により、ＳＶＲの調整変圧器のタップを一旦素通しタップに切り換える素通し制御が行われる。従って、ＳＶＲで電力の逆潮流が検出されたときに素通し制御指令が与えられている場合には、電力の逆潮流が生じた原因が、系統切換が行われたことにあり、ＳＶＲで電力の逆潮流が検出されたときに素通し制御指令が与えられていない場合には、電力の逆潮流が生じた原因が、系統に分散電源が連係したことにあると一応判定することができる。しかしながら、ＳＶＲの動作モードの切換を誤りなく行うためには、電力の逆潮流の原因を更に別の方法によっても行って、原因特定の正確を期することが好ましい。また素通し制御を行わない系統において、ＳＶＲの電力逆潮流時の動作モードの切換を適確に行わせるためには、素通し制御指令によらずに電力の逆潮流の原因を判定する方法を確立することが必須である。
【００２１】
そこで、本出願人等は先に、特許文献１に示されているように、電力の逆潮流が検出されている状態でタップ切換が行われた時に生じるＳＶＲの一次側電圧の変化量と二次側電圧の変化量とから逆潮流の原因を特定する方法を提案した。この方法においては、ＳＶＲの一次側の配電線が電源変電所に接続されている状態では、タップ切換時に系統容量が大きいＳＶＲの一次側（変電所側）で生じる電圧の変化量が、ＳＶＲの二次側（負荷側）で生じる電圧の変化量に比べて小さくなることに着目して、電力の逆潮流の原因を判別する。
【００２２】
系統の状態とタップ切換時の一次側電圧の変化量及び二次側電圧の変化量との関係を、表にまとめた形で図１２に示した。図１２に示された関係は下記の（ａ）ないし（ｃ）の通りである。
（ｉ）ＳＶＲの一次側の配電線が電源変電所に接続されていてＳＶＲを通して順方向に電力が潮流しているとき：
ＳＶＲでタップ上げを行った際にＳＶＲの二次側電圧がほぼステップ状に上昇するが、一次側電圧はほとんど変化しない。
またＳＶＲでタップ下げを行った際には、ＳＶＲの二次側電圧がほぼステップ状に下降するが、一次側電圧はほとんど変化しない。
（ii）ＳＶＲの一次側の配電線が電源変電所から切り離され、二次側の配電線が他系統の変電所に接続された（系統切換が行われた）ために電力が逆潮流しているとき：
ＳＶＲでタップ上げを行った際にＳＶＲの一次側電圧がほぼステップ状に下降する（負側に変化する）。このときＳＶＲの二次側電圧はステップ状に上昇するがその変化量は僅かである。
またＳＶＲでタップ下げを行った際には、一次側電圧がほぼステップ状に上昇する（正側に変化する）。このときＳＶＲの二次側電圧は僅かに下降するがその変化量は僅かである。
（iii）ＳＶＲの一次側の配電線が変電所に接続されている状態で、二次側に分散電源が連系しているためにＳＶＲを通して電力が逆潮流しているとき：
ＳＶＲでタップ上げを行った際にＳＶＲの二次側電圧がステップ状に上昇する。ＳＶＲの一次側電圧は僅かに下降するがその変化量は僅かである。
またＳＶＲでタップ下げを行った際に二次側電圧がステップ状に下降する。このときＳＶＲの一次側電圧は僅かに上昇するがその変化量は僅かである。
【００２３】
系統の状態と、ＳＶＲのタップ切換時の一次側電圧及び二次側電圧の変化との間には上記のような関係があるため、ＳＶＲで電力の逆潮流が検出されている状態でタップ切換が行われた際に生じる一次側電圧の変化量及び二次側電圧の変化量との関係を判別することにより、その逆潮流が如何なる原因で生じたかを判別することができる。
【００２４】
特許文献１に示された方法では、ＳＶＲの一次側及び二次側でそれぞれ生じる電圧の変化を計測し、ＳＶＲで電力の逆潮流が生じていることが計測され、かつタップが切り換えられた際に生じるＳＶＲの一次側電圧の変化量が二次側電圧の変化量よりも大きいことが計測されたときに、ＳＶＲの一次側の配電線が電源変電所から切り離されて二次側の配電線が他系統の電源変電所に接続される系統切換が行われたことに起因して電力の逆潮流が生じていると判定する。またＳＶＲで電力の逆潮流が生じていることが計測され、かつタップが切り換えられた際に生じるＳＶＲの二次側電圧の変化量が一次側電圧の変化量よりも大きいことが計測されたときに、ＳＶＲの一次側の配電線が電源変電所に接続されている状態でＳＶＲの二次側の系統に分散電源が連系していることに起因して電力の逆潮流が生じていると判定する。
【００２５】
即ち、特許文献１に示された方法では、ＳＶＲで電力の逆潮流が生じている状態で、タップ切換時に計測される一次側電圧の変化量と二次側電圧の変化量との間に「一次側電圧の変化量＜二次側電圧の変化量」の関係があるときに、電源がＳＶＲの一次側にあると判定して、ＳＶＲでの電力の逆潮流の原因がＳＶＲの二次側で系統に分散電源が連係していることにあると判定し、「一次側電圧の変化量＞二次側電圧の変化量」の関係があるときに、電源がＳＶＲの二次側にあると判定して、電力の逆潮流の原因が系統の切換が行われたことにあると判定する。
【００２６】
以下の説明では、ＳＶＲの一次側の配電線が電源変電所から切り離されて二次側の配電線が他系統の電源変電所に接続される系統切換が行われたことに起因してＳＶＲで起こる電力の逆潮流を、「系統切換に起因する電力の逆潮流」と呼び、ＳＶＲの一次側の配電線が電源変電所に接続されている状態でＳＶＲの二次側の系統に分散電源が連系していることに起因してＳＶＲで起こる電力の逆潮流を「分散電源の連系に起因する電力の逆潮流」と呼ぶ。
【先行技術文献】
【特許文献】
【００２７】
【特許文献１】特開２０００−２９５７７４号公報
【発明の概要】
【発明が解決しようとする課題】
【００２８】
特許文献１に示された方法により電力の逆潮流が生じた原因を正確に特定するためには、タップが切り換えられた際に生じる一次側電圧の変化量及び二次側電圧の変化量を正確に計測する必要がある。従来の方法では、ＳＶＲがタップ切換動作を開始した後、該切換動作が終了するまでの期間を計測期間として、ＳＶＲの一次側電圧及び二次側電圧を一定の時間間隔で発生する計測タイミングで計測し、各計測タイミングで計測した一次側電圧の計測値と、２つ前の計測タイミングで計測した一次側電圧の計測値との差の絶対値を一次側電圧の変化量として順次求めていた。同様に、各計測タイミングで計測した二次側電圧の計測値と、２つ前の計測タイミングで計測した二次側電圧の計測値との差の絶対値を二次側電圧の変化量として順次求め、タップ切り換え時の一次側電圧の変化量及び二次側電圧の変化量が求まる毎に、両者の変化量の差を電圧変化量差として演算して、この電圧変化量差の大小関係から、系統の状態を判定していた。しかしながら、このような判定方法では、ＳＶＲが電圧調整動作（タップ切換）を行った直後に、系統の負荷変動によりＳＶＲの一次側電圧及び二次側電圧が変動した場合に、判定を誤ることがあった。
【００２９】
一例として、ＳＶＲの一次側の配電線が電源変電所に接続されている状態でＳＶＲの二次側で系統に分散電源が連係したことに起因して電力の逆潮流が生じている状態で、ＳＶＲの二次側電圧を下降させる方向にタップを切り換えた場合を例にとって、誤判定が生じる理由につき説明する。
【００３０】
図９（Ａ）は、ＳＶＲの一次側電圧及び二次側電圧を計測する期間を定める計測指令信号で、この信号は、計測期間Ｔa とそれ以外の期間とで異なるレベルを示す矩形波信号である。計測期間Ｔa は、ＳＶＲがタップ切換動作を行う期間を含むように設定される。通常ＳＶＲのタップ切換装置は、タップ切換指令が与えられたときにモータにより駆動軸を回転させて、該駆動軸が所定の角度回転する間に、調整変圧器のタップを切り換えるために必要な一連の動作を行わせる。上記計測期間は例えば、タップ切換指令が与えられたタイミングで始まり、調整変圧器のタップが新たなタップに切り換えられた後、更に一定の時間が経過したタイミングで終了するように設定される。
【００３１】
図９（Ｂ）及び（Ｃ）はそれぞれ分散電源が連係したことに起因してＳＶＲで電力の逆潮流が起こっている状態で、ＳＶＲでタップ下げを行った際に生じるＳＶＲの一次側電圧の変化及び二次側電圧の変化を示したものである。ＳＶＲの一次側の配電線が変電所に接続されていて、二次側で分散電源が連係したことよりＳＶＲを通して逆方向に電力が潮流している状態でＳＶＲでタップ下げを行った際には、図９（Ｂ）に実線で示したように、一次側電圧はほとんど変化しないが、二次側電圧は、同図（Ｃ）に実線で示したように、タップ切換時にほぼステップ状に下降する。図９（Ｃ）に符号ａで示した電圧変化がタップ切換の際に二次側電圧に生じる変化である。ＳＶＲで電力の逆潮流が検出されている状態で、このタップ切換時の二次側電圧の変化量が、一次側電圧の変化量よりも大きいことが計測されたときに、その電力の逆潮流の原因が、ＳＶＲの二次側で系統に分散電源が連係したことにあると判定することができる。
【００３２】
従来の方法では、計測指令信号が発生するタイミングｔ1を最初の計測タイミングとして、一定の時間毎に発生する計測タイミングｔ1，ｔ2，ｔ3，…，ｔnでＳＶＲの一次側電圧Ｖ11，Ｖ12，…，Ｖ1n及び二次側電圧Ｖ21，Ｖ22，…，Ｖ2nを計測し、各計測タイミングｔk（ｋ＝３，４，…，ｎ）で計測した一次側電圧の計測値と、２つ前の計測タイミングｔk-2で計測した一次側電圧の計測値との差の絶対値を一次側電圧の変化量ΔＶ1k＝｜Ｖ1k-2 −Ｖ1k｜として順次求める。同様に、各計測タイミングで計測した二次側電圧の計測値と、２つ前の計測タイミングで計測した二次側電圧の計測値との差の絶対値を二次側電圧の変化量ΔＶ2k＝｜Ｖ2k-2 −Ｖ2k｜として順次求め、一次側電圧の変化量ΔＶ1k及び二次側電圧の変化量ΔＶ2kが演算される毎に、一次側電圧の変化量と二次側電圧の変化量との差ΔＶk＝ΔＶ1k−ΔＶ2kを電圧変化量差として求めて、この電圧変化量差ΔＶkの符号が正であるか負であるかを判別する。その結果、電圧変化量差ΔＶkが正でその絶対値がしきい値以上であることが計測されたときに、系統切換に起因してＳＶＲで電力の逆潮流が生じていると判定する。また、電圧変化量差ΔＶkが負で、その絶対値がしきい値以上であることが計測されたときに、分散電源の連系に起因してＳＶＲで電力の逆潮流が生じていると判定する。
【００３３】
図９に示した例において、一次側電圧及び二次側電圧がそれぞれ図に実線で示したように変化した場合には、計測タイミングｔn-1で、ΔＶ1n-1＝｜Ｖ1n-3 −Ｖ1n-1｜、ΔＶ2n-1＝｜Ｖ2n-3 −Ｖ2n-1｜が演算され、ΔＶn-1＝ΔＶ1n-1 − ΔＶ2n-1＜０であると判定されるため、計測タイミングｔn-1で、分散電源の連係に起因して電力の逆潮流が生じていると判定することができる。
【００３４】
しかしながら、ＳＶＲの調整変圧器でタップ切換が行われた直後にたまたま系統の負荷変動により、図９に破線で示したようにＳＶＲの一次側電圧及び二次側電圧が変動した場合には、ΔＶn-1＝ΔＶ1n-1 − ΔＶ2n-1＞０となるため、系統切換に起因して電力の逆潮流が生じているとの誤った判定がされることになる。また既提案の方法では、多くのサンプリングデータを扱う必要がある上に、何回も演算処理を行う必要があるため、逆潮流原因の判定に手間がかかるという問題があった。
【００３５】
本発明の目的は、配電系統に設置された自動電圧調整器で電力の逆潮流が生じていることが計測されたときにその原因を正確かつ簡単に判定することができるようにした配電用自動電圧調整器の電力逆潮流原因判定方法及びこの方法を実施するために用いる電力逆潮流原因判定装置を提供することにある。
【課題を解決するための手段】
【００３６】
本発明は、配電系統に設置された負荷時タップ切換式の自動電圧調整器で二次側から一次側に電力の逆潮流が生じたときに、その原因を判定する配電用自動電圧調整器の電力逆潮流原因判定方法を対象とする。
【００３７】
本発明に係る判定方法においては、自動電圧調整器で電力の逆潮流が検出された状態で自動電圧調整器が電圧調整を行う際に、自動電圧調整器のタップが切り換わるタイミングよりも前のタイミングに設定された第１の計測タイミング、タップが切り換った直後のタイミングに設定された第２の計測タイミング及び該第２の計測タイミングよりも僅かに遅れたタイミングに設定された第３の計測タイミングでそれぞれ自動電圧調整器の一次側電圧を第１の一次電圧、第２の一次電圧及び第３の一次電圧として計測するとともに、自動電圧調整器の二次側電圧を第１の二次電圧、第２の二次電圧及び第３の二次電圧として計測して以下の（１）ないし（４）の過程を行う。
（１）第２の一次電圧と第３の一次電圧との比較及び（又は）第２の二次電圧と第３の二次電圧の比較を行って、その比較の結果から、自動電圧調整器が電圧調整動作を行った直後の系統の負荷状態が、負荷変動が無い状態、系統の負荷が軽くなる軽負荷変動が生じている状態、及び系統の負荷が重くなる重負荷変動が生じている状態のうちの何れであったかを判定する負荷状態判定過程。
（２）自動電圧調整器が行う電圧調整動作が、自動電圧調整器の一次側の配電線に電源変電所が接続されていて自動電圧調整器を通して順方向に電力が潮流しているとした場合に該自動電圧調整器の二次側電圧を昇圧させることになる方向にタップを切り換えるタップ上げであるのか、該タップ上げ時と逆方向にタップを切り換えるタップ下げであるのかを判定する電圧調整動作判定過程。
（３）第１の一次電圧と第３の一次電圧との比較及び（又は）第１の二次電圧と第３の二次電圧との比較を行って、比較した電圧の高低の関係を判定するタップ切換時電圧変化判定過程。
（４）負荷状態判定過程での判定結果と電圧調整動作判定過程での判定結果とタップ切換時電圧変化判定過程での判定結果とを、これらの判定結果に対して予め用意した判定要件と照合することにより、逆潮流が生じている原因が、自動電圧調整器の一次側の配電線が電源変電所に接続されている状態で自動電圧調整器の二次側の配電線に分散電源が連係したことにあるのか、系統の切換により自動電圧調整器の一次側の配電線が電源変電所から切り離されて、二次側の配電線が他の系統の電源変電所に接続されたことにあるのかを判定する逆潮流原因判定過程。
【００３８】
本発明者は、上記のように、ＳＶＲで電力の逆潮流が検出された状態で自動電圧調整器が電圧調整を行う際に、タップが切り換わるタイミングよりも前のタイミングに設定された第１の計測タイミング、タップが切り換った直後のタイミングに設定された第２の計測タイミング及び該第２の計測タイミングよりも僅かに遅れたタイミングに設定された第３の計測タイミングで自動電圧調整器の一次側電圧を第１ないし第３の一次電圧として計測し、二次側電圧を第１ないし第３の二次電圧として計測すると、第２の一次電圧と第３の一次電圧との間の高低の関係及び（又は）第２の二次電圧と第３の二次電圧との間の高低の関係から、自動電圧調整器が電圧調整動作を行った直後の系統の負荷状態が、（イ）系統負荷に変動がない状態、（ロ）系統負荷が軽くなる方向への変動である軽負荷変動が生じている状態及び（ハ）系統負荷が重くなる方向への変動である重負荷変動が生じている状態のいずれの状態にあるのかを判別できることを見出した。
【００３９】
また、判別された系統の負荷状態と、自動電圧調整器が実行する電圧調整動作がタップ上げであるのかタップ下げであるのかの判定結果と、第１の計測タイミング及び第３の計測タイミングでそれぞれ計測された一次電圧同士の比較判定結果（タップ切換の直後の一次電圧の変化）及び（又は）二次電圧同士の比較判定結果（タップ切換の直後の二次電圧の変化）と、自動電圧調整器で生じている電力の逆潮流の原因との間に一定の関係があること、従って、負荷状態判定過程での判定結果と電圧調整動作判定過程での判定結果とタップ切換時電圧変化判定過程での判定結果とを、これらの判定結果に対して予め用意した判定要件と照合することにより、自動電圧調整器で電力の逆潮流が生じている原因が、自動電圧調整器の一次側の配電線が電源変電所に接続されている状態で自動電圧調整器の二次側の配電線に分散電源が連係したことにあるのか、系統の切換により自動電圧調整器の一次側の配電線が電源変電所から切り離されて、二次側の配電線が他の系統の電源変電所に接続されたことにあるのかを判定できることを見出した。
【００４０】
上記の判定方法を実施する配電用自動電圧調整器の電力逆潮流原因判定装置は、自動電圧調整器で電力の逆潮流が検出された状態で自動電圧調整器が電圧調整を行う際に、自動電圧調整器のタップが切り換わるタイミングよりも前のタイミングに設定された第１の計測タイミング、タップが切り換った直後のタイミングに設定された第２の計測タイミング及び該第２の計測タイミングよりも僅かに遅れたタイミングに設定された第３の計測タイミングでそれぞれ自動電圧調整器の一次側電圧を第１の一次電圧、第２の一次電圧及び第３の一次電圧として計測するとともに、自動電圧調整器の二次側電圧を第１の二次電圧、第２の二次電圧及び第３の二次電圧として計測する電圧計測手段と、第２の一次電圧と第３の一次電圧との比較及び（又は）第２の二次電圧と第３の二次電圧の比較を行って、その比較の結果から、自動電圧調整器が電圧調整動作を行った直後の系統の負荷状態が、負荷変動が無い状態、系統の負荷が軽くなる方向への変動である軽負荷変動が生じている状態、及び系統の負荷が重くなる方向への変動である重負荷変動が生じている状態のうちの何れの状態にあるのかを判定する負荷状態判定手段と、自動電圧調整器が行う電圧調整動作が、自動電圧調整器の一次側に電源変電所が接続されている状態で自動電圧調整器の二次側電圧を昇圧させる方向にタップを切り換えるタップ上げであるのか、該タップ上げ時と逆方向にタップを切り換えるタップ下げであるのかを判定する電圧調整動作判定手段と、第１の一次電圧と第３の一次電圧との比較及び（又は）第１の二次電圧と第３の二次電圧との比較を行って、比較した電圧の高低の関係を判定するタップ切換時電圧変化判定手段と、負荷状態判定手段による判定結果と、電圧調整動作判定手段による判定結果と、タップ切換時電圧変化判定手段による判定結果とを、これらの判定結果に対して予め用意した判定要件と照合することにより、電力の逆潮流が生じている原因が、自動電圧調整器の一次側の配電線が電源変電所に接続されている状態で自動電圧調整器の二次側の配電線に分散電源が連係したことにあるのか、系統の切換により自動電圧調整器の一次側の配電線が電源変電所から切り離されて、二次側の配電線が他の系統の電源変電所に接続されたことにあるのかを判定する逆潮流原因判定手段とを備えることにより構成される。
【発明の効果】
【００４１】
本発明によれば、自動電圧調整器のタップが切り換わるタイミングよりも前のタイミングに設定された第１の計測タイミング、タップが切り換った直後のタイミングに設定された第２の計測タイミング及び該第２の計測タイミングよりも僅かに遅れたタイミングに設定された第３の計測タイミングでそれぞれ自動電圧調整器の一次側電圧を第１の一次電圧、第２の一次電圧及び第３の一次電圧として計測するとともに、二次側電圧を第１の二次電圧、第２の二次電圧及び第３の二次電圧として計測して、タップ切換が行われた直後に計測された第２の一次電圧と第３の一次電圧との間の高低の関係及び（又は）第２の二次電圧と第３の二次電圧との間の高低の関係から、自動電圧調整器が電圧調整動作を行った直後の系統の負荷状態を判定して、この負荷状態の判定結果を考慮しながら、電圧調整動作がタップ上げであるかタップ下げであるかの判定結果と、電圧調整動作の前後に計測された第１の一次電圧と第３の一次電圧との間の高低の関係及び（又は）第１の二次電圧と第３の二次電圧との間の高低の関係とに基づいて、逆潮流の原因を判定するようにしたので、自動電圧調整器で電力の逆潮流が生じている状態で電圧調整動作が行われた直後に系統で負荷変動が生じた場合でも、逆潮流の原因を正確に特定することができる。また本発明によれば、第１の計測タイミングないし第３の計測タイミングでそれぞれ計測した一次電圧同士及び二次電圧同士の比較判定結果から電圧調整動作が行われた直後の負荷状態の判定と、逆潮流の原因の特定とを行うので、多くのサンプリングデータを扱ったり、何回も演算を繰り返したりすることなく、電圧を比較するだけの簡単な処理を行うだけで、電力の逆潮流が生じた原因を特定することができる。
【図面の簡単な説明】
【００４２】
【図１】本発明の一実施形態のハードウェアの構成を概略的に示した構成図である。
【図２】マイクロプロセッサにより構成される各手段を含む本発明の一実施形態の構成を示したブロック図である。
【図３】自動電圧調整器の構成の一例を示した結線図である。
【図４】（Ａ）ないし（Ｃ）は、ＳＶＲが設置された配電系統において、ＳＶＲの一次側の配電線が電源変電所に接続され、二次側に分散電源が連携していることにより電力の逆潮流が生じている状態でタップ上げが行われたときの電圧変化を系統の種々の負荷状態に対して示したグラフである。
【図５】（Ａ）ないし（Ｃ）は、ＳＶＲが設置された配電系統において、ＳＶＲの一次側の配電線が電源変電所に接続され、二次側に分散電源が連携していることにより電力の逆潮流が生じている状態でタップ下げが行われたときの電圧変化を系統の種々の負荷状態に対して示したグラフである。
【図６】（Ａ）ないし（Ｃ）は、ＳＶＲが設置された配電系統において、ＳＶＲの一次側の配電線が電源変電所から切り離され、二次側の配電線が他系統の電源変電所に接続されたことにより電力の逆潮流が生じている状態でタップ上げが行われたときの電圧変化を系統の種々の負荷状態に対して示したグラフである。
【図７】（Ａ）ないし（Ｃ）は、ＳＶＲが設置された配電系統において、ＳＶＲの一次側の配電線が電源変電所から切り離され、二次側の配電線が他系統の電源変電所に接続されたことにより電力の逆潮流が生じている状態でタップ下げが行われたときの電圧変化を系統の種々の負荷状態に対して示したグラフである。
【図８】（Ａ）ないし（Ｃ）はそれぞれ、自動電圧調整器の電圧調整動作と一次電圧及び二次電圧の変化と逆潮流の原因との間の関係を、逆潮流時に系統に負荷変動がないとき、逆潮流時に系統に負荷が軽くなる方向の変動である軽負荷変動が生じているとき、及び逆潮流時に系統に負荷が重くなる方向の変動である重負荷変動が生じているときについて示した図表である。
【図９】従来の判定方法を説明するために用いる各部の信号波形図である。
【図１０】（Ａ）ないし（Ｃ）はそれぞれ、一般型自動電圧調整器が設置された配電系統において、自動電圧調整器での電力の潮流が順方向潮流状態であるとき、系統の切換により自動電圧調整器で電力の逆潮流が生じているとき、及び分散電源の連系により自動電圧調整器で電力の逆潮流が生じているときの系統の状態を示す単線結線図を、系統の電圧分布の変化を示すグラフとともに示した説明図である。
【図１１】（Ａ）ないし（Ｃ）はそれぞれ、逆送時タップ固定型自動電圧調整器が設置された配電系統において、自動電圧調整器での電力の潮流が順方向潮流状態であるとき、系統の切換により自動電圧調整器で電力の逆潮流が生じているとき、及び分散電源の連系により自動電圧調整器で電力の逆潮流が生じているときの系統の状態を示す単線結線図を、系統の電圧分布の変化を示すグラフとともに示した説明図である。
【図１２】系統の状態とタップ切換時の一次側電圧の変化及び二次側電圧の変化との関係をまとめて示した図表である。
【発明を実施するための形態】
【００４３】
図１は、本発明に係る電力逆潮流原因判定方法を実施する装置のハードウェアの構成例を概略的に示したものである。同図において２は自動電圧調整器、４は一端が図示しない変電所のトランスに開閉器を介して接続され、他端が自動電圧調整器の一次側に接続されたＵ，Ｖ，Ｗ三相の一次側配電線である。また５は一端が自動電圧調整器２の二次側に接続され、他端が開閉器を介して他の系統の配電線に接続されたＵ，Ｖ，Ｗ三相の二次側配電線である。
【００４４】
自動電圧調整器２は、例えば図３に示すように構成される。図３において、２Ａはタップａ1 〜ａ9 を有する単巻変圧器からなる調整変圧器、２Ｂは調整変圧器のタップを切り換える負荷時タップ切換装置である。調整変圧器２Ａの一次側には負荷時タップ切換装置２Ｂを通して配電線４の電圧が入力されている。また調整変圧器２Ａの二次側は配電線５に接続されている。２Ｃは自動電圧調整器の二次側の電圧Ｖ1 を計測する計器用変圧器（ＰＴ）、２Ｄは二次側電圧を目標電圧に保つようにタップ切換装置２Ｂにタップ切換指令を与える電圧調整継電器（９０リレー）、２Ｅは電圧調整継電器２Ｄに対して直列に接続された線路電圧降下補償器（ＬＤＣ）で、電圧調整継電器２Ｄと線路電圧降下補償器２Ｅとの直列回路が計器用変圧器２Ｃの出力端子間に接続されている。ＬＤＣ２Ｅには、二次側の配電線５を流れる負荷電流ＩL を計測する変流器（ＣＴ）２Ｆの出力が入力されている。Ｖ1及びＶ2はそれぞれ自動電圧調整器の一次側電圧及び二次側電圧である。
【００４５】
図３に示した自動電圧調整器においては、電圧調整継電器２Ｄが計器用変圧器２Ｃの出力電圧ＶL'から二次側電圧Ｖ2 を計測して、一次側配電線４側から二次側配電線５側に電力が送られているとき（電力順送時）に二次側電圧Ｖ2 を目標電圧に保つようにタップ切換装置２Ｂにタップ切換指令を与える。タップ切換装置２Ｂは、電圧調整継電器２Ｄから与えられるタップ切換指令に応じて調整変圧器２Ａのタップを切り換えて、自動電圧調整器の二次側電圧Ｖ2 を目標電圧に保つように（二次側電圧Ｖ2 と目標電圧との差を許容範囲に収めるように）調整する。
【００４６】
即ち、電力順送時に二次側電圧Ｖ2 が目標電圧よりも低くなったときには電圧調整継電器２Ｄが昇圧指令を発生し、これにより調整変圧器２Ａのタップを昇圧側に切り換えるタップ上げを行って、二次側電圧Ｖ2 と目標電圧との差を許容範囲以下にするように電圧を調整する。また二次側電圧Ｖ2 が目標電圧を超えたときには電圧調整継電器２Ｄが降圧指令を発生し、これにより調整変圧器２Ａのタップを降圧側に切り換えるタップ下げを行って二次側電圧と目標電圧との差を許容範囲以下とするように電圧を調整する。
【００４７】
線路電圧降下補償器２Ｅは、配電線５の線路インピーダンスを模擬した抵抗とリアクタンスとから成っていて、該抵抗及びリアクタンスにＣＴ２Ｆの出力電流ＩLDC が流れるように設けられている。線路電圧降下補償器２Ｅの両端には、線路インピーダンスによる電圧降下に比例した電圧降下ＶLDC が生じる。このとき電圧調整継電器２Ｄに加わる電圧Ｖ90はＶ2 −ＶLDC となり、線路電圧降下補償器２Ｅが挿入されていない場合に比べて、ＶLDCだけ低くなる。そのため電圧調整継電器２Ｄは、調整変圧器２Ａのタップを線路電圧降下ＶLDC 分だけ昇圧側に切り換えるように負荷時タップ切換装置２Ｂにタップ切換指令を与えて、線路インピーダンスによる電圧降下を補償する。
【００４８】
図１において、１０は自動電圧調整器の二次側に設けられてＷ相電流と位相が反転されたＵ相電流とが入力された変流器、１１は変流器１０の出力が入力された逆電力継電器で、変流器１０と逆電力継電器１１とにより電力逆潮流検出装置１２が構成されている。１３及び１４はそれぞれ自動電圧調整器のＵ，Ｗ相間から一次側電圧Ｖ1 及び二次側電圧Ｖ2 を計測する計器用変圧器（ＰＴ）である。計器用変圧器１３及び１４から得られる一次側電圧及び二次側電圧の計測信号はそれぞれ負担抵抗などを備えた一次側電圧検出回路１５及び二次側電圧検出回路１６を通して第１及び第２のＡ／Ｄ変換器１７及び１８に入力されてデジタル信号に変換される。１９は電力逆潮流検出装置１２が電力の逆潮流を検出している状態で自動電圧調整器のタップ切換装置がタップ切換を行う際に計測指令信号を発生する計測指令信号発生手段である。
【００４９】
計測指令信号発生手段１９は、電力逆潮流検出装置１２が自動電圧調整器２で電力の逆潮流が生じていることを検出している状態で自動電圧調整器２が電圧調整を行う際に、図４ないし図７に示されているように、自動電圧調整器２のタップが切り換わるタイミングｔ1よりも前のタイミングに設定された第１の計測タイミングｔａ、タップが切り換った直後のタイミングに設定された第２の計測タイミングｔｂ及び第２の計測タイミングｔbよりも僅かに遅れたタイミングに設定された第３の計測タイミングｔｃでそれぞれ第１の計測指令信号、第２の計測指令信号及び第３の計測指令信号を発生する。
【００５０】
第１及び第２のＡ／Ｄ変換器１７及び１８から得られるデジタル信号は、電力逆潮流検出装置１２の出力及び計測指令信号発生手段１９の出力とともにマイクロプロセッサ２０に入力されている。マイクロプロセッサ２０は、所定のプログラムを実行することにより、種々の機能を果たす手段を構成する。
【００５１】
図２は、マイクロプロセッサ２０により構成される機能実現手段を含む本実施形態に係る判定装置の構成を示したものである。本実施形態では、マイクロプロセッサ２０が、電圧計測手段２２と、負荷状態判定手段２３と、電圧調整動作判定手段２４と、タップ切換時電圧変化判定手段２６と、逆潮流原因判定手段２７とを構成する。
【００５２】
電圧計測手段２２は、電力逆潮流検出装置１２が自動電圧調整器２で電力の逆潮流が生じていることを検出している状態で自動電圧調整器２が電圧調整を行う際に、計測指令信号発生手段１９が、第１の計測タイミングｔa、第２の計測タイミングｔｂ及び第３の計測タイミングｔｃでそれぞれ第１ないし第３の計測指令信号を発生したときに、ＳＶＲ２の一次側電圧を第１の一次電圧Ｖ1a，第２の一次電圧Ｖ1b及び第３の一次電圧Ｖ1cとして計測する。電圧計測手段２２はまた、計測指令信号発生手段１９が、第１の計測タイミングｔa、第２の計測タイミングｔｂ及び第３の計測タイミングｔｃでそれぞれ第１ないし第３の計測指令信号を発生したときに、ＳＶＲ２の二次側電圧を第１の二次電圧Ｖ2a，第２の二次電圧Ｖ2b及び第３の二次電圧Ｖ2cとして計測する。
【００５３】
負荷状態判定手段２３は、ＳＶＲが電圧調整を行った直後の系統の負荷状態を判定する手段であり、ＳＶＲが電圧調整動作を行った（タップ切換を行った）直後に系統の負荷変動の有無と、負荷変動の内容とを判定する手段である。負荷状態判定手段２３は、第２の一次電圧Ｖ1bと第３の一次電圧Ｖ1cとの比較及び（又は）第２の二次電圧Ｖ2bと第３の二次電圧Ｖ2cの比較を行って、その比較の結果から、電圧調整直後の系統の負荷状態が、負荷変動が無い状態、系統の負荷が軽くなる方向への変動である軽負荷変動が生じている状態、及び系統の負荷が重くなる方向への変動である重負荷変動が生じている状態のうちの何れの状態にあるのかを判定する。
【００５４】
なお「負荷変動が無い状態」とは、負荷の変動が零である場合のみを意味するのでは無く、電力の逆潮流の原因の判定に用いるパラメータ（第１ないし第３の一次電圧及び第１ないし第３の二次電圧）を計測する期間（第１の計測タイミングから第３の計測タイミングまでの間の期間）において、タップを切換えた際の電圧変動に比べれば、無視できる程度の小さな電圧変動が生じている状態をも含むものとする。
【００５５】
電圧調整動作判定手段２４は、電圧調整継電器２Ｄが発生するタップ切換指令から、自動電圧調整器が行う電圧調整動作が、自動電圧調整器の一次側に電源変電所が接続されている状態で自動電圧調整器の二次側電圧を昇圧させる方向にタップを切り換えるタップ上げであるのか、該タップ上げ時と逆方向にタップを切り換えるタップ下げであるのかを判定する手段である。ＳＶＲ２が行う電圧調整動作がタップ上げであるかタップ下げであるかは、電圧調整継電器２Ｄが発生するタップ切換指令から判別することができる。
【００５６】
タップ切換時電圧変化判定手段２６は、第１の一次電圧Ｖ1aと第３の一次電圧Ｖ1cとの比較及び（又は）第１の二次電圧Ｖ2aと第３の二次電圧Ｖ2cとの比較を行って、比較した電圧の高低の関係を判定する手段である。
【００５７】
逆潮流原因判定手段２７は、負荷状態判定過程による判定結果と、電圧調整動作判定過程による判定結果と、タップ切換時電圧変化判定過程による判定結果とを、これらの判定結果に対して予め用意した判定要件と照合することにより、逆潮流が生じている原因が、自動電圧調整器の一次側の配電線が電源変電所に接続されている状態で自動電圧調整器の二次側の配電線に分散電源が連係したことにあるのか、系統の切換により自動電圧調整器の一次側の配電線が電源変電所から切り離されて、二次側の配電線が他の系統の電源変電所に接続されたことにあるのかを判定する手段である。
【００５８】
本発明者は、ＳＶＲ２で電力の逆潮流が生じていることが検出されている状態で、ＳＶＲ２が電圧調整動作を行う際に観測されるＳＶＲの一次側電圧及び二次側電圧について詳細に検討した結果、ＳＶＲが電圧調整動作を行う前後の期間に設定した上記第１ないし第３の計測タイミングｔａ，ｔｂ及びｔｃでＳＶＲ２の一次側電圧Ｖ１及び二次側電圧Ｖ２を計測すると、ＳＶＲが行う電圧調整動作がタップ上げである場合も、タップ下げである場合も、計測した電圧と系統の負荷状態との間、及び計測した電圧と逆潮流の原因との間に一定の関係があること、及びこれらの関係から、系統の負荷状態及び逆潮流の原因を判定できることを見出した。以下、ＳＶＲ２で電力の逆潮流が生じている状態で、ＳＶＲ２が電圧調整動作を行う際に観測されるＳＶＲの一次側電圧及び二次側電圧について、図４ないし図７を参照して詳細に説明する。
【００５９】
図４は、ＳＶＲ２の一次側の配電線が本系統の電源変電所に接続され、ＳＶＲ２の二次側の配電線が他の系統の電源変電所から切り離された状態で、ＳＶＲ２の二次側に分散電源が連係している（二次側の配電線に分散電源が接続されている）ことが原因で、ＳＶＲ２で電力の逆潮流が生じているときに、ＳＶＲが「タップ上げ」を行った際のＳＶＲ２の一次側電圧及び二次側電圧の変化を、（Ａ）タップ上げを行った直後に系統に負荷変動がない場合、（Ｂ）タップ上げを行った直後に系統に軽負荷変動（系統の負荷が軽くなる方向への変動）が生じた場合、及び（Ｃ）タップ上げを行った直後に系統に重負荷変動（系統の負荷が重くなる方向への変動）が生じている場合の３つの場合について模式的に示したものである。
【００６０】
ＳＶＲ２で電力の逆潮流が生じている状態で、タップ上げを行った直後に系統に負荷変動がなかった場合には、図４（Ａ）に示すように、ＳＶＲの一次側電圧は変化しないが、二次側電圧はタップが切り換わったタイミングｔ1でステップ状に上昇する。この場合、第２の計測タイミングｔbで計測した第２の一次電圧Ｖ1bと第３の計測タイミングｔcで計測した第３の一次電圧Ｖ1cとを比較すると、Ｖ1b＝Ｖ1cであり、第２の計測タイミングｔbで計測した第２の二次電圧Ｖ2bと第３の計測タイミングｔcで計測した第３の二次電圧Ｖ2cとを比較すると、Ｖ2b＝Ｖ2cである。また第１の計測タイミングｔaで計測した一次電圧Ｖ1aと第３の計測タイミングｔｃで計測した一次電圧Ｖ1cとの間には、Ｖ1a＝Ｖ1cの関係があり、第１の計測タイミングｔaで計測した二次電圧Ｖ2aと第３の計測タイミングｔｃで計測した二次電圧Ｖ2cとの間には、Ｖ2a＜Ｖ2cの関係がある。
【００６１】
ＳＶＲ２で電力の逆潮流が生じている状態で、タップ上げを行った直後に軽負荷変動が生じていた場合には、図４（Ｂ）に示すように、ＳＶＲの一次側電圧がタップ切換が行われた直後から負荷の減少に伴って上昇していき、ＳＶＲの二次側電圧はタップ切換が行われた瞬間にステップ状に上昇した後、負荷の減少に伴って上昇していく。この場合、第２の計測タイミングｔbで計測した第２の一次電圧Ｖ1bと第３の計測タイミングｔcで計測した第３の一次電圧Ｖ1cとの間には、Ｖ1b＜Ｖ1cの関係があり、第２の計測タイミングｔbで計測した第２の二次電圧Ｖ2bと第３の二次電圧Ｖ2cとの間にもＶ2b＜Ｖ2cの関係がある。また第１の計測タイミングｔaで計測した一次電圧Ｖ1aと第３の計測タイミングｔｃで計測した一次電圧Ｖ1cとの間には、Ｖ1a＜Ｖ1cの関係があり、第１の計測タイミングｔaで計測した二次電圧Ｖ2aと第３の計測タイミングｔｃで計測した二次電圧Ｖ2cとの間には、Ｖ2a＜Ｖ2cの関係がある。
【００６２】
ＳＶＲ２で電力の逆潮流が生じている状態で、タップ上げを行った直後に重負荷変動が生じていた場合には、図４（Ｃ）に示すように、ＳＶＲの一次側電圧がタップ切換が行われた直後から負荷の増大に伴って下降していき、ＳＶＲの二次側電圧はタップ切換が行われた瞬間にほぼステップ状に上昇した後、負荷の増大に伴って下降していく。この場合、第２の計測タイミングｔbで計測した第２の一次電圧Ｖ1bと第３の計測タイミングｔcで計測した第３の一次電圧Ｖ1cとの間には、Ｖ1b＞Ｖ1cの関係があり、第２の計測タイミングｔbで計測した第２の二次電圧Ｖ2bと第３の二次電圧Ｖ2cとの間にもＶ2b＞Ｖ2cの関係がある。また第１の計測タイミングｔaで計測した一次電圧Ｖ1aと第３の計測タイミングｔｃで計測した一次電圧Ｖ1cとの間には、Ｖ1a＞Ｖ1cの関係があり、第１の計測タイミングｔaで計測した二次電圧Ｖ2aと第３の計測タイミングｔｃで計測した二次電圧Ｖ2cとの間には、Ｖ2a＜Ｖ2cの関係がある。
【００６３】
図５は、ＳＶＲ２の一次側の配電線が本系統の電源変電所に接続され、ＳＶＲ２の二次側の配電線が他の系統の電源変電所から切り離された状態で、ＳＶＲ２の二次側に分散電源が連係していることが原因で、ＳＶＲ２で電力の逆潮流が生じているときに、ＳＶＲが「タップ下げ」を行った際のＳＶＲ２の一次側電圧及び二次側電圧の変化を、（Ａ）タップ下げを行った直後に系統に負荷変動がない場合、（Ｂ）タップ下げを行った直後に系統に軽負荷変動（系統の負荷が軽くなる方向への変動）が生じた場合、及び（Ｃ）タップ下げを行った直後に系統に重負荷変動（系統の負荷が重くなる方向への変動）が生じている場合の３つの場合について示したものである。
【００６４】
ＳＶＲ２で電力の逆潮流が生じている状態で、タップ下げを行った直後に系統に負荷変動がなかった場合には、図５（Ａ）に示すように、ＳＶＲの一次側電圧は変化しないが、二次側電圧はタップが切り換わったタイミングｔ1でステップ状に下降する。この場合、第２の計測タイミングｔbで計測した第２の一次電圧Ｖ1bと第３の計測タイミングｔcで計測した第３の一次電圧Ｖ1cとの間には、Ｖ1b＝Ｖ1cの関係があり、第２の計測タイミングｔbで計測した第２の二次電圧Ｖ2bと第３の二次電圧Ｖ2cとの間には、Ｖ2b＝Ｖ2cの関係がある。また第１の計測タイミングｔaで計測した一次電圧Ｖ1aと第３の計測タイミングｔｃで計測した一次電圧Ｖ1cとの間には、Ｖ1a＝Ｖ1cの関係があり、第１の計測タイミングｔaで計測した二次電圧Ｖ2aと第３の計測タイミングｔｃで計測した二次電圧Ｖ2cとの間には、Ｖ2a＞Ｖ2cの関係がある。
【００６５】
またＳＶＲ２で電力の逆潮流が生じている状態で、タップ下げを行った直後に軽負荷変動が生じていた場合には、図５（Ｂ）に示すように、ＳＶＲの一次側電圧がタップ切換が行われた直後から負荷の減少に伴って上昇していき、ＳＶＲの二次側電圧はタップ切換が行われた瞬間にステップ状に下降した後、負荷の減少に伴って上昇していく。この場合、第２の計測タイミングｔbで計測した第２の一次電圧Ｖ1bと第３の計測タイミングｔcで計測した第３の一次電圧Ｖ1cとの間には、Ｖ1b＜Ｖ1cの関係があり、第２の計測タイミングｔbで計測した第２の二次電圧Ｖ2bと第３の計測タイミングｔcで計測された第３の二次電圧Ｖ2cとの間にもＶ2b＜Ｖ2cの関係がある。また第１の計測タイミングｔaで計測した一次電圧Ｖ1aと第３の計測タイミングｔｃで計測した一次電圧Ｖ1cとの間には、Ｖ1a＜Ｖ1cの関係があり、第１の計測タイミングｔaで計測した二次電圧Ｖ2aと第３の計測タイミングｔｃで計測した二次電圧Ｖ2cとの間には、Ｖ2a＞Ｖ2cの関係がある。
【００６６】
ＳＶＲ２で電力の逆潮流が生じている状態で、タップ下げを行った直後に重負荷変動が生じていた場合には、図５（Ｃ）に示すように、ＳＶＲの一次側電圧がタップ切換が行われた直後から負荷の増大に伴って下降していき、ＳＶＲの二次側電圧はタップ切換が行われた瞬間にほぼステップ状に下降した後、負荷の増大に伴って下降していく。この場合、第２の計測タイミングｔbで計測した第２の一次電圧Ｖ1bと第３の一次電圧Ｖ1cとの間には、Ｖ1b＞Ｖ1cの関係があり、第２の計測タイミングｔbで計測した第２の二次電圧Ｖ2bと第３の二次電圧Ｖ2cとの間にもＶ2b＞Ｖ2cの関係がある。また第１の計測タイミングｔaで計測した一次電圧Ｖ1aと第３の計測タイミングｔｃで計測した一次電圧Ｖ1cとの間には、Ｖ1a＞Ｖ1cの関係があり、第１の計測タイミングｔaで計測した二次電圧Ｖ2aと第３の計測タイミングｔｃで計測した二次電圧Ｖ2cとの間には、Ｖ2a＞Ｖ2cの関係がある。
【００６７】
図６は、ＳＶＲ２の一次側の配電線が本系統の電源変電所から切り離され、ＳＶＲ２の二次側の配電線が他の系統の電源変電所に接続されたことに起因して、ＳＶＲ２で電力の逆潮流が生じているときに、ＳＶＲが「タップ上げ」を行った際のＳＶＲ２の一次側電圧及び二次側電圧の変化を、（Ａ）電圧調整動作（タップ切換）を行った直後に系統に負荷変動がない場合、（Ｂ）電圧調整動作を行った直後に系統に軽負荷変動（系統の負荷が軽くなる方向への変動）が生じた場合、及び（Ｃ）電圧調整動作を行った直後に系統に重負荷変動（系統の負荷が重くなる方向への変動）が生じている場合の３つの場合について示したものである。
【００６８】
ＳＶＲ２で電力の逆潮流が生じている状態で、タップ上げを行った直後に系統に負荷変動がなかった場合には、ＳＶＲの二次側が大容量の電源変電所に接続されているため、図６（Ｂ）に示すように、ＳＶＲの二次側電圧は変化しないが、一次側電圧はタップが切り換わったタイミングｔ1で押し下げられてステップ状に下降する。この場合、第２の計測タイミングｔbで計測した第２の一次電圧Ｖ1bと第３の計測タイミングｔcで計測した第３の一次電圧Ｖ1cとの間にはＶ1b＝Ｖ1cの関係があり、第２の計測タイミングｔbで計測した第２の二次電圧Ｖ2bと第３の計測タイミングｔcで計測した第３の二次電圧Ｖ2cとの間にも、Ｖ2b＝Ｖ2cの関係がある。また第１の計測タイミングｔaで計測した一次電圧Ｖ1aと第３の計測タイミングｔｃで計測した一次電圧Ｖ1cとの間には、Ｖ1a＞Ｖ1cの関係があり、第１の計測タイミングｔaで計測した二次電圧Ｖ2aと第３の計測タイミングｔｃで計測した二次電圧Ｖ2cとの間には、Ｖ2a＝Ｖ2cの関係がある。
【００６９】
ＳＶＲ２で電力の逆潮流が生じている状態で、タップ上げを行った直後に軽負荷変動が生じていた場合には、図６（Ｂ）に示すように、ＳＶＲの二次側電圧がタップ切換が行われた直後から負荷の減少に伴って上昇していき、ＳＶＲの一次側電圧はタップ切換が行われた瞬間にステップ状に下降した後、負荷の減少に伴って上昇していく。この場合、第２の計測タイミングｔbで計測した第２の一次電圧Ｖ1bと第３の計測タイミングｔcで計測した第３の一次電圧Ｖ1cとの間には、Ｖ1b＜Ｖ1cの関係があり、第２の計測タイミングｔbで計測した第２の二次電圧Ｖ2bと第３の計測タイミングｔcで計測した二次電圧Ｖ2cとの間にもＶ2b＜Ｖ2cの関係がある。また第１の計測タイミングｔaで計測した一次電圧Ｖ1aと第３の計測タイミングｔｃで計測した一次電圧Ｖ1cとの間には、Ｖ1a＞Ｖ1cの関係があり、第１の計測タイミングｔaで計測した二次電圧Ｖ2aと第３の計測タイミングｔｃで計測した二次電圧Ｖ2cとの間には、Ｖ2a＜Ｖ2cの関係がある。
【００７０】
ＳＶＲ２で電力の逆潮流が生じている状態で、タップ上げを行った直後に重負荷変動が生じていた場合には、図６（Ｃ）に示すように、ＳＶＲの二次側電圧がタップ切換が行われた直後から負荷の増大に伴って下降していき、ＳＶＲの一次側電圧はタップ切換が行われた瞬間にほぼステップ状に下降した後、負荷の増大に伴って下降していく。この場合、第２の計測タイミングｔbで計測した第２の一次電圧Ｖ1bと第３の計測タイミングｔcで計測した第３の一次電圧Ｖ1cとの間には、Ｖ1b＞Ｖ1cの関係があり、第２の計測タイミングｔbで計測した第２の二次電圧Ｖ2bと第３の二次電圧Ｖ2cとの間にもＶ2b＞Ｖ2cの関係がある。また第１の計測タイミングｔaで計測した一次電圧Ｖ1aと第３の計測タイミングｔｃで計測した一次電圧Ｖ1cとの間には、Ｖ1a＞Ｖ1cの関係があり、第１の計測タイミングｔaで計測した二次電圧Ｖ2aと第３の計測タイミングｔｃで計測した二次電圧Ｖ2cとの間には、Ｖ2a＞Ｖ2cの関係がある。
【００７１】
図７は、ＳＶＲ２の一次側の配電線が本系統の電源変電所から切り離され、ＳＶＲ２の二次側の配電線が他の系統の電源変電所に接続されたことに起因して、ＳＶＲ２で電力の逆潮流が生じているときに、ＳＶＲが「タップ下げ」を行った際のＳＶＲ２の一次側電圧及び二次側電圧の変化を、（Ａ）タップ上げを行った直後に系統に負荷変動がない場合、（Ｂ）タップ上げを行った直後に系統に軽負荷変動が生じた場合、及び（Ｃ）タップ上げを行った直後に系統に重負荷変動が生じている場合の３つの場合について示したものである。
【００７２】
ＳＶＲ２で電力の逆潮流が生じている状態で、タップ下げを行った直後に系統に負荷変動がなかった場合には、図７（Ａ）に示すように、ＳＶＲの二次側電圧は変化しないが、一次側電圧はタップが切り換わったタイミングｔ1でステップ状に上昇する。この場合、第２の計測タイミングｔbで計測した第２の一次電圧Ｖ1bと第３の計測タイミングｔcで計測した第３の一次電圧Ｖ1cとの間には、Ｖ1b＝Ｖ1cの関係があり、第２の計測タイミングｔbで計測した第２の二次電圧Ｖ2bと第３の計測タイミングｔcで計測した第３の二次電圧Ｖ2cとの間にも、Ｖ2b＝Ｖ2cの関係がある。また第１の計測タイミングｔaで計測した一次電圧Ｖ1aと第３の計測タイミングｔｃで計測した一次電圧Ｖ1cとの間には、Ｖ1a＜Ｖ1cの関係があり、第１の計測タイミングｔaで計測した二次電圧Ｖ2aと第３の計測タイミングｔｃで計測した二次電圧Ｖ2cとの間には、Ｖ2a＝Ｖ2cの関係がある。
【００７３】
ＳＶＲ２で電力の逆潮流が生じている状態で、タップ下げを行った直後に軽負荷変動が生じていた場合には、図７（Ｂ）に示すように、ＳＶＲの二次側電圧がタップ切換が行われた直後から負荷の減少に伴って上昇していき、ＳＶＲの一次側電圧はタップ切換が行われた瞬間にステップ状に上昇した後、負荷の減少に伴って上昇していく。この場合、第２の計測タイミングｔbで計測した第２の一次電圧Ｖ1bと第３の計測タイミングｔaで計測した第３の一次電圧Ｖ1cとの間には、Ｖ1b＜Ｖ1cの関係があり、第２の計測タイミングｔbで計測した第２の二次電圧Ｖ2bと第３の二次電圧Ｖ2cとの間にもＶ2b＜Ｖ2cの関係がある。また第１の計測タイミングｔaで計測した一次電圧Ｖ1aと第３の計測タイミングｔｃで計測した一次電圧Ｖ1cとの間には、Ｖ1a＜Ｖ1cの関係があり、第１の計測タイミングｔaで計測した二次電圧Ｖ2aと第３の計測タイミングｔｃで計測した二次電圧Ｖ2cとの間には、Ｖ2a＜Ｖ2cの関係がある。
【００７４】
またＳＶＲ２で電力の逆潮流が生じている状態で、タップ下げを行った直後に重負荷変動が生じていた場合には、図７（Ｃ）に示すように、ＳＶＲの二次側電圧がタップ切換が行われた直後から負荷の増大に伴って下降していき、ＳＶＲの一次側電圧はタップ切換が行われた瞬間にほぼステップ状に上昇した後、負荷の増大に伴って下降していく。この場合、第２の計測タイミングｔbで計測した第２の一次電圧Ｖ1bと第３の計測タイミングｔcで計測した第３の一次電圧Ｖ1cとの間には、Ｖ1b＞Ｖ1cの関係があり、第２の計測タイミングｔbで計測した第２の二次電圧Ｖ2bと第３の計測タイミングｔcで計測した第３の二次電圧Ｖ2cとの間にもＶ2b＞Ｖ2cの関係がある。また第１の計測タイミングｔaで計測した一次電圧Ｖ1aと第３の計測タイミングｔｃで計測した一次電圧Ｖ1cとの間には、Ｖ1a＜Ｖ1cの関係があり、第１の計測タイミングｔaで計測した二次電圧Ｖ2aと第３の計測タイミングｔｃで計測した二次電圧Ｖ2cとの間には、Ｖ2a＞Ｖ2cの関係がある。
【００７５】
図４ないし図７にそれぞれ示された第２の一次電圧Ｖ1bと第３の一次電圧Ｖ1cとの間の関係及び第２の二次電圧Ｖ2bと第３の二次電圧Ｖ2cとの間の関係から、次のことがいえる。
（イ）タップ切換直後に負荷変動がない場合には、電力の逆潮流が生じている原因の如何に関わりなく、また電圧調整動作がタップ上げであるかタップ下げであるかに関わりなく、Ｖ1b＝Ｖ1c、及びＶ2b＝Ｖ2cである。
（ロ）タップ切換直後に軽負荷変動が生じた場合には、電力の逆潮流が生じている原因の如何に関わりなく、また電圧調整動作がタップ上げであるかタップ下げであるかに関わりなく、Ｖ1b＜Ｖ1c、及びＶ2b＜Ｖ2cである。
（ハ）タップ切換直後に重負荷変動が生じた場合には、電力の逆潮流が生じている原因の如何に関わりなく、また電圧調整動作がタップ上げであるかタップ下げであるかに関わりなく、Ｖ1b＞Ｖ1c、Ｖ2b＞Ｖ2cである。
以上のことから、図２に示された負荷状態判定手段２３は、第２の一次電圧Ｖ1bと第３の一次電圧Ｖ1cとの比較及び（又は）第２の二次電圧Ｖ2bと第３の二次電圧Ｖ2cの比較を行って、その比較の結果から、自動電圧調整器が電圧調整動作を行った直後の系統の負荷状態が、負荷変動が無い状態、系統の負荷が軽くなる方向への変動である軽負荷変動が生じている状態、及び系統の負荷が重くなる方向への変動である重負荷変動が生じている状態のうちの何れの状態にあるのかを判定するように構成することができることが分かる。
【００７６】
より具体的には、Ｖ1b＝Ｖ1c及び（又は）Ｖ2b＝Ｖ2cであるときに、タップ切換直後に負荷変動がなかったと判定することができ、Ｖ1b＜Ｖ1c、及び（又は）Ｖ2b＜Ｖ2cであるときにタップ切換直後に軽負荷変動が生じていたと判定することができる。また、Ｖ1b＞Ｖ1c及び（又は）Ｖ2b＞Ｖ2cであるときに、タップ切換直後に重負荷変動が生じていたと判定することができる。即ち、第２の計測タイミング及び第３の計測タイミングでそれぞれ計測された一次電圧同士または二次電圧同士を比較するか、又は一次電圧同士及び二次電圧同士を比較することにより、タップ切換直後の系統の負荷状態を判定することができる。
【００７７】
またタップ切換直後の負荷状態の判定結果と、電圧調整動作がタップ上げであるかタップ下げであるかの判定結果と、図４及び図５に示された第１の一次電圧Ｖ1aと第３の一次電圧Ｖ1cとの間の関係及び第１の二次電圧Ｖ2aと第３の二次電圧Ｖ2cとの間の関係から、ＳＶＲで逆潮流が生じている原因が、ＳＶＲの一次側の配電線が電源変電所に接続されている状態でＳＶＲの二次側の配電線に分散電源が連係したことにある場合には、以下の（ａ）’ないし（ｆ）’のことがいえる。
（ａ）’電圧調整動作がタップ上げであって、タップ上げを行った直後に系統に負荷変動がなかった場合には、第３の一次電圧Ｖ1cが第１の一次電圧Ｖ1aに等しく、第３の二次電圧Ｖ2cが第１の二次電圧Ｖ2aに等しい。
（ｂ）’電圧調整動作がタップ下げであって、タップ下げを行った直後に系統に負荷変動がなかった場合には、第３の一次電圧Ｖ1cが第１の一次電圧Ｖ1aに等しく、第３の二次電圧Ｖ2cが第１の二次電圧Ｖ2aよりも低い。
（ｃ）’電圧調整動作がタップ上げであって、タップ上げを行った直後に系統に軽負荷変動が生じていた場合には、第３の一次電圧Ｖ1cが第１の一次電圧Ｖ1aよりも高く、第３の二次電圧Ｖ2cが第１の二次電圧Ｖ2aよりも高い。
（ｄ）’電圧調整動作がタップ下げであって、タップ下げを行った直後に系統に軽負荷変動が生じていた場合には、第３の一次電圧Ｖ1cが第１の一次電圧Ｖ1aよりも高く、第３の二次電圧Ｖ2cが第１の二次電圧Ｖ2aよりも低い。
（ｅ）’電圧調整動作がタップ上げであって、タップ上げを行った直後に系統に重負荷変動が生じていた場合には、第３の一次電圧Ｖ1cが第１の一次電圧Ｖ1aよりも低く、第３の二次電圧Ｖ2cが第１の二次電圧Ｖ2cよりも高い。
（ｆ）’電圧調整動作がタップ下げであって、タップ下げを行った直後に系統に重負荷変動が生じていた場合には、第３の一次電圧Ｖ1cが第１の一次電圧Ｖ1aよりも低く、第３の二次電圧Ｖ2cが第１の二次電圧Ｖ2cよりも低い。
【００７８】
またタップ切換直後の負荷状態の判定結果と、電圧調整動作がタップ上げであるかタップ下げであるかの判定結果と、図６及び図７に示された第１の一次電圧Ｖ1aと第３の一次電圧Ｖ1cとの間の関係及び第１の二次電圧Ｖ2aと第３の二次電圧Ｖ2cとの間の関係から、ＳＶＲで逆潮流が生じている原因が、系統の切換によりＳＶＲの一次側の配電線が電源変電所から切り離されて、二次側の配電線が他の系統の電源変電所に接続されたことにある場合には、以下の（ｇ）’ないし（ｌ）’のことがいえる。
（ｇ）’電圧調整動作がタップ上げであって、タップ上げを行った直後に負荷変動がなかった場合には、第３の一次電圧Ｖ1cが第１の一次電圧Ｖ1aよりも低く、第３の二次電圧Ｖ2cが第１の二次電圧Ｖ2aに等しい。
（ｈ）’電圧調整動作がタップ下げであって、タップ下げを行った直後に負荷変動がなかった場合には、第３の一次電圧Ｖ1cが第１の一次電圧Ｖ1aよりも高く、第３の二次電圧Ｖ2cが第１の二次電圧Ｖ1cに等しい。
（ｉ）’電圧調整動作がタップ上げであって、タップ上げを行った直後に軽負荷変動が生じていた場合には、第３の一次電圧Ｖ1cが第１の一次電圧Ｖ1aよりも低く、第３の二次電圧Ｖ2cが第１の二次電圧Ｖ2aよりも高い。
（ｊ）’電圧調整動作がタップ下げであって、タップ下げを行った直後に軽負荷変動が生じていた場合には、第３の一次電圧Ｖ1cが第１の一次電圧Ｖ1aよりも高く、第３の二次電圧Ｖ2cが第１の二次電圧Ｖ2aよりも高い。
（ｋ）’電圧調整動作がタップ上げであって、タップ上げを行った直後に重負荷変動が生じていた場合には、第３の一次電圧Ｖ1cが第１の一次電圧Ｖ1aよりも低く、第３の二次電圧Ｖ2cが第１の二次電圧Ｖ2aよりも低い。
（ｌ）’電圧調整動作がタップ下げであって、タップ下げを行った直後に重負荷変動が生じていた場合には、第３の一次電圧Ｖ1cが第１の一次電圧Ｖ1aよりも高く、第３の二次電圧Ｖ2cが第１の二次電圧Ｖ2aよりも低い。
【００７９】
上記の結果をまとめた表を図８に示した。図８においては、図４ないし図７の図中に示されているように、第３の一次電圧Ｖ1cが第１の一次電圧Ｖ1aに等しい状態（タップ切換の前後で電圧の変化がない状態）を「０」で表し、第３の一次電圧Ｖ1cが第１の一次電圧Ｖ1aよりも高い状態（タップ切換後にタップ切換前よりも電圧が上昇した状態）を「＋」で表し、第３の一次電圧Ｖ1cが第１の一次電圧Ｖ1aよりも低い状態（タップ切換後にタップ切換前よりも電圧が下降した状態）を「−」で表している。また第３の二次電圧Ｖ2cが第１の二次電圧Ｖ2aに等しい状態（タップ切換の前後で電圧の変化がない状態）を「０」で表し、第３の二次電圧Ｖ2cが第１の二次電圧Ｖ2aよりも高い状態（タップ切換後にタップ切換前よりも電圧が上昇した状態）を「＋」で表し、第３の二次電圧Ｖ2cが第１の二次電圧Ｖ2aよりも低い状態（タップ切換後にタップ切換前よりも電圧が下降した状態）を「−」で表している。図８（Ａ）は、逆潮流時に電圧調整動作が行われた直後に系統に負荷変動がなかった場合を示し、図８（Ｂ）は、逆潮流時に電圧調整動作が行われた直後に系統に軽負荷変動が生じていたた場合を示している。また図８（Ｃ）は、、逆潮流時に電圧調整動作が行われた直後に系統に重負荷変動が生じていた場合を示している。
【００８０】
以上のように、判別された系統の負荷状態と、ＳＶＲが実行する電圧調整動作がタップ上げであるのかタップ下げであるのかの判定結果と、第１の計測タイミング及び第３の計測タイミングでそれぞれ計測された一次電圧同士の比較判定結果（タップ切換の直後の一次電圧の変化）と、ＳＶＲで生じている電力の逆潮流の原因との間には一定の関係がある。また判別された系統の負荷状態と、ＳＶＲが実行する電圧調整動作がタップ上げであるのかタップ下げであるのかの判定結果と、第１の計測タイミング及び第３の計測タイミングでそれぞれ計測された二次電圧同士の比較判定結果（タップ切換の直後の二次電圧の変化）と、ＳＶＲで生じている電力の逆潮流の原因との間にも一定の関係がある。
【００８１】
従って、ＳＶＲで電力の逆潮流が検出された状態でＳＶＲが電圧調整を行う際に、ＳＶＲのタップが切り換わるタイミングよりも前のタイミングに設定された第１の計測タイミング、タップが切り換った直後のタイミングに設定された第２の計測タイミングｔb及び該第２の計測タイミングよりも僅かに遅れたタイミングに設定された第３の計測タイミングｔcでそれぞれＳＶＲの一次側電圧を第１の一次電圧、第２の一次電圧及び第３の一次電圧として計測するとともに、ＳＶＲの二次側電圧を第１の二次電圧、第２の二次電圧及び第３の二次電圧として計測し、第２の一次電圧と第３の一次電圧との比較及び（又は）第２の二次電圧と第３の二次電圧の比較を行って、その比較の結果から、ＳＶＲが電圧調整動作を行った直後の系統の負荷状態が、負荷変動が無い状態、系統の負荷が軽くなる軽負荷変動が生じている状態、及び系統の負荷が重くなる重負荷変動が生じている状態のうちの何れであったかを判定する負荷状態判定過程と、ＳＶＲが行う電圧調整動作が、ＳＶＲの一次側に電源変電所が接続されていてＳＶＲを通して順方向に電力が潮流しているとした場合にＳＶＲの二次側電圧を昇圧させることになる方向にタップを切り換えるタップ上げであるのか、該タップ上げ時と逆方向にタップを切り換えるタップ下げであるのかを判定する電圧調整動作判定過程と、第１の一次電圧と第３の一次電圧との比較及び（又は）第１の二次電圧と第３の二次電圧との比較を行って、比較した電圧の高低の関係を判定するタップ切換時電圧変化判定過程と、負荷状態判定過程での判定結果と電圧調整動作判定過程での判定結果とタップ切換時電圧変化判定過程での判定結果とを、これらの判定結果に対して予め用意した判定要件と照合することにより、逆潮流が生じている原因が、ＳＶＲの一次側の配電線が電源変電所に接続されている状態でＳＶＲの二次側の配電線に分散電源が連係したことにあるのか、系統の切換によりＳＶＲの一次側の配電線が電源変電所から切り離されて、二次側の配電線が他の系統の電源変電所に接続されたことにあるのかを判定する逆潮流原因判定過程とを行うことにより、ＳＶＲで生じている電力の逆潮流の原因を正確に特定することができる。
【００８２】
図２に示した逆潮流原因判定手段２７は、負荷状態判定手段による判定結果と、電圧調整動作判定手段２４による判定結果と、タップ切換時電圧変化判定手段２６による判定結果とを、これらの判定結果に対して予め用意した判定要件と照合することにより、逆潮流が生じている原因が、自動電圧調整器の一次側の配電線が電源変電所に接続されている状態で自動電圧調整器の二次側の配電線に分散電源が連係したことにあるのか、系統の切換により前記自動電圧調整器の一次側の配電線が電源変電所から切り離されて、二次側の配電線が他の系統の電源変電所に接続されたことにあるのかを判定するように構成することができる。
【００８３】
更に詳細に述べると、負荷状態判定過程での判定結果と電圧調整動作判定過程での判定結果とタップ切換時電圧変化判定過程での判定結果とが、以下の（ａ）ないし（ｆ）の何れかの判定要件に該当するときに、自動電圧調整器で逆潮流が生じている原因が、自動電圧調整器の一次側の配電線が電源変電所に接続されている状態で自動電圧調整器の二次側の配電線に分散電源が連係したことにあると判定することができる。
（ａ）自動電圧調整器が電圧調整動作を行った直後に系統に負荷変動がなかったと判定され、かつ電圧調整動作がタップ上げであると判定された状態で、第３の一次電圧が第１の一次電圧に等しく、第３の二次電圧が第１の二次電圧に等しいと判定されたとき。
（ｂ）自動電圧調整器が電圧調整動作を行った直後に系統に負荷変動がなかったと判定され、かつ電圧調整動作がタップ下げであると判定された状態で、第３の一次電圧が第１の一次電圧に等しく、第３の二次電圧が第１の二次電圧よりも低いと判定されたとき。
（ｃ）自動電圧調整器が電圧調整動作を行った直後に系統に軽負荷変動が生じていたと判定され、かつ電圧調整動作がタップ上げであると判定された状態で、第３の一次電圧が第１の一次電圧よりも高く、第３の二次電圧が第１の二次電圧よりも高いと判定されたとき。
（ｄ）自動電圧調整器が電圧調整動作を行った直後に系統に前記軽負荷変動が生じていたと判定され、かつ電圧調整動作がタップ下げであると判定された状態で、第３の一次電圧が第１の一次電圧よりも高く、第３の二次電圧が第１の二次電圧よりも低いと判定されたとき。
（ｅ）自動電圧調整器が電圧調整動作を行った直後に系統に重負荷変動が生じていたと判定され、かつ電圧調整動作がタップ上げであると判定された状態で、第３の一次電圧が第１の一次電圧よりも低く、第３の二次電圧が第１の二次電圧よりも高いと判定されたとき。
（ｆ）自動電圧調整器が電圧調整動作を行った直後に系統に前記重負荷変動が生じていたと判定され、かつ前記電圧調整動作がタップ下げであると判定された状態で、第３の一次電圧が第１の一次電圧よりも低く、第３の二次電圧が第１の二次電圧よりも低いと判定されたとき。
【００８４】
また負荷状態判定過程での判定結果と電圧調整動作判定過程での判定結果とタップ切換時電圧変化判定過程での判定結果とが、下記の（ｇ）ないし（ｌ）の何れかの判定要件に該当するときに、逆潮流が生じている原因が、系統の切換により自動電圧調整器の一次側の配電線が電源変電所から切り離されて、二次側の配電線が他の系統の電源変電所に接続されたことにあると判定することができる。
（ｇ）自動電圧調整器が電圧調整動作を行った直後に系統に負荷変動がなかったと判定され、かつ電圧調整動作がタップ上げであると判定された状態で、第３の一次電圧が第１の一次電圧よりも低く、第３の二次電圧が第１の二次電圧に等しいと判定されたとき。
（ｈ）自動電圧調整器が電圧調整動作を行った直後に系統に負荷変動がなかったと判定され、かつ電圧調整動作がタップ下げであると判定された状態で、第３の一次電圧が第１の一次電圧よりも高く、第３の二次電圧が第１の二次電圧に等しいと判定されたとき。
（ｉ）自動電圧調整器が電圧調整動作を行った直後に系統に前記軽負荷変動が生じていたと判定され、かつ電圧調整動作がタップ上げであると判定された状態で、第３の一次電圧が第１の一次電圧よりも低く、第３の二次電圧が第１の二次電圧よりも高いと判定されたとき。
（ｊ）自動電圧調整器が電圧調整動作を行った直後に系統に軽負荷変動が生じていたと判定され、かつ電圧調整動作がタップ下げであると判定された状態で、第３の一次電圧が第１の一次電圧よりも高く、第３の二次電圧が第１の二次電圧よりも高いと判定されたとき。
（ｋ）自動電圧調整器が電圧調整動作を行った直後に系統に前記重負荷変動が生じていたと判定され、かつ電圧調整動作がタップ上げであると判定された状態で、第３の一次電圧が第１の一次電圧よりも低く、第３の二次電圧が第１の二次電圧よりも低いと判定されたとき。
（ｌ）自動電圧調整器が電圧調整動作を行った直後に系統に重負荷変動が生じていたと判定され、かつ電圧調整動作がタップ下げであると判定された状態で、第３の一次電圧が第１の一次電圧よりも高く、第３の二次電圧が第１の二次電圧よりも低いと判定されたとき。
【００８５】
図２に示した潮流原因判定手段２７は、負荷状態判定手段２３による判定結果と電圧調整動作判定手段２４による判定結果とタップ切換時電圧変化判定手段２６による判定結果とが、上記（ａ）ないし（ｆ）の何れかの判定要件に該当するときに、自動電圧調整器で逆潮流が生じている原因が、自動電圧調整器の一次側の配電線が電源変電所に接続されている状態で自動電圧調整器の二次側の配電線に分散電源が連係したことにあると判定し、負荷状態判定手段２３による判定結果と電圧調整動作判定手段２４による判定結果とタップ切換時電圧変化判定手段２６による判定結果とが、上記（ｇ）ないし（ｌ）の何れかの判定要件に該当するときに、逆潮流が生じている原因が、系統の切換により自動電圧調整器の一次側の配電線が電源変電所から切り離されて、二次側の配電線が他の系統の電源変電所に接続されたことにあると判定するように構成することができる。
【００８６】
上記の実施形態において、第１の計測タイミングｔaは、ＳＶＲがタップ切換を行うタイミングよりも前のタイミングに設定する。一般にタップ切換器は、タップ切換指令が与えられたときにモータにより駆動軸を回転させて、該駆動軸が所定の角度回転する間に、調整変圧器のタップを切り換えるために必要な一連の動作を行わせる。従って、タップ切換指令が与えられた後、実際にタップを切り換えるまでの間には一定の時間を必要とする。上記第１の計測タイミングｔaは、タップ切換器２Ｂにタップ切換指令が与えられるタイミングとすることができる。また第２の計測タイミングｔbは、ＳＶＲがタップを切換えた直後のタイミングに設定する。第３の計測タイミングｔcは、第２の計測タイミングｔbよりも僅かに遅れたタイミングで、かつ第２の一次電圧Ｖ1bと第３の一次電圧Ｖ1cとの間の差及び第２の二次電圧Ｖ2bと第３の二次電圧Ｖ2cとの間の差を明確に検出し得るタイミングに設定する。第２の計測タイミングｔb及び第３の計測タイミングｔcは、実測の結果に基づいて適宜に設定する。
【産業上の利用可能性】
【００８７】
本発明は、太陽光発電設備や風力発電設備のような分散電源が連係する配電系統において、自動電圧調整器で電力の逆潮流が生じたときに、その原因が系統切換にあるのか、分散電源の連係にあるのかを正確に特定できるため、自動電圧調整器で電力の逆潮流が生じたときに、自動電圧調整器の動作モードを系統の状態に適したモードに切換えるための情報を適確に得ることができる。従って、分散電源が連係する配電系統に設置される自動電圧調整器に適用することにより、当該自動電圧調整器の動作を適確に行わせて、系統の安定化に寄与することができる。
【符号の説明】
【００８８】
１  系統の電源変電所
２  自動電圧調整器
３  変電所の開閉器
４  一次側配電線
５  二次側配電線
６  他系統の配電線
７  他系統との間に設けられた開閉器
１０  変流器
１１  逆電力継電器
１２  電力逆潮流検出装置
１３  計器用変圧器
１４  計器用変圧器
１５  一次側電圧検出回路
１６  二次側電圧計測回路
１７  第１のＡ／Ｄ変換器
１８  第２のＡ／Ｄ変換器
１９  計測指令信号発生手段
２０  マイクロプロセッサ
２２  電圧計測手段
２３  負荷状態判定手段
２４  電圧調整動作判定手段
２６  タップ切換時電圧変化判定手段
２７  逆潮流原因判定手段
【図１】
2014023303.tif 000003
【図２】
2014023303.tif 000004
【図３】
2014023303.tif 000005
【図４】
2014023303.tif 000006
【図５】
2014023303.tif 000007
【図６】
2014023303.tif 000008
【図７】
2014023303.tif 000009
【図８】
2014023303.tif 000010
【図９】
2014023303.tif 000011
【図１０】
2014023303.tif 000012
【図１１】
2014023303.tif 000013
【図１２】
2014023303.tif 000014